(57)【特許請求の範囲】
【請求項１】
掴み金具を受容可能な１個又は複数個の切欠き部又は凹部を非端部に外向きに有する梁材を両端に備える床付き布枠であって、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が下方に動かされることによってその切欠き部又は凹部を開けるものであることを特徴とする床付き布枠。
【請求項２】
梁材を両端に備える床付き布枠であって、掴み金具を受容可能な１個又は複数個の切欠き部又は凹部を非端部に外向きに有する突出部材が両方の梁材の外側に梁材と平行に接合されていて、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が下方に動かされることによってその切欠き部又は凹部を開けるものであることを特徴とする床付き布枠。
【請求項３】
梁材を両端に備え、一方の梁材の外側には掴み金具を受容可能な１個又は複数個の切欠き部又は凹部を非端部に外向きに有する突出部材が平行に接合されていて、その切欠き部又は凹部には開閉可能な蓋が設けられており、他方の梁材は掴み金具を受容可能な１個又は複数個の切欠き部又は凹部を非端部に外向きに有していて、その切欠き部又は凹部には開閉可能な蓋が設けられている床付き布枠であって、通常時にはその切欠き部又は凹部の上面に水平にその蓋が保持されることによってその切欠き部又は凹部を塞いでおり、そして、掴み金具の受容時にはその蓋が下方に動かされることによってその切欠き部又は凹部を開けるものであることを特徴とする床付き布枠。
【請求項４】
開閉可能な蓋は、掴み金具の受容時には掴み金具の下方への動きに追随して下方に動かされることによって、その切欠き部又は凹部を開けるものであることを特徴とする、請求項１から３までのいずれかに記載の床付き布枠。
【請求項５】
開閉可能な蓋は、掴み金具の受容時には手動により下方に動かされることによって、その切欠き部又は凹部を開けるものであることを特徴とする、請求項１から３までのいずれかに記載の床付き布枠。
【請求項６】
開閉可能な蓋はストッパーを備えており、掴み金具の受容時にはストッパーを外してから下方に動かされることによって、その切欠き部又は凹部を開けるものであることを特徴とする、請求項１から５までのいずれかに記載の床付き布枠。
【請求項７】
開閉可能な蓋は回転軸を中心として開閉されることを特徴とする、請求項１から６までのいずれかに記載の床付き布枠。
【請求項８】
回転軸が梁材の上面レベルよりも下方に設けられていることを特徴とする、請求項７に記載の床付き布枠。
【請求項９】
開閉可能な蓋は、通常時にはバネの付勢力によってその切欠き部又は凹部の上面に水平に保持されていることを特徴とする、請求項１から８までのいずれかに記載の床付き布枠。
【請求項１０】
開閉可能な蓋は、通常時にはくさび効果のある凸部又は突起によってその切欠き部又は凹部の上面に水平に保持されていることを特徴とする、請求項４から７までのいずれかに記載の床付き布枠。
【請求項１１】
開閉可能な蓋は、通常時には凸部又は突起を長孔と嵌合させることによってその切欠き部又は凹部の上面に水平に保持されていることを特徴とする、請求項５から８までのいずれかに記載の床付き布枠。
【請求項１２】
開閉可能な蓋は板バネを介して保持されており、通常時にはその切欠き部又は凹部の上面に水平にその蓋が保持されており、そして、掴み金具の受容時には掴み金具の下方への動きに追随してその蓋が下方に動かされることによって、その切欠き部又は凹部を開けるものであることを特徴とする、請求項４に記載の床付き布枠。
【請求項１３】
開閉可能な蓋はゴム材からなり、通常時にはその切欠き部又は凹部の上面に水平にその蓋が保持されており、そして、掴み金具の受容時には掴み金具の下方への動きに追随してその蓋が下方に動かされることによって、その切欠き部又は凹部を開けるものであることを特徴とする、請求項４に記載の床付き布枠。
【請求項１４】
掴み金具を受容可能な１個又は複数個の切欠き部又は凹部を非端部に外向きに有する梁材を両端に備える床付き布枠であって、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が水平方向に動かされることによってその切欠き部又は凹部を開けるものであることを特徴とする床付き布枠。
【請求項１５】
梁材を両端に備える床付き布枠であって、掴み金具を受容可能な１個又は複数個の切欠き部又は凹部を非端部に外向きに有する突出部材が両方の梁材の外側に梁材と平行に接合されていて、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が水平方向に動かされることによってその切欠き部又は凹部を開けるものであることを特徴とする床付き布枠。
【請求項１６】
梁材を両端に備え、一方の梁材の外側には掴み金具を受容可能な１個又は複数個の切欠き部又は凹部を非端部に外向きに有する突出部材が平行に接合されていて、その切欠き部又は凹部には開閉可能な蓋が設けられており、他方の梁材は掴み金具を受容可能な１個又は複数個の切欠き部又は凹部を非端部に外向きに有していて、その切欠き部又は凹部には開閉可能な蓋が設けられている床付き布枠であって、通常時にはその切欠き部又は凹部の上面に水平にその蓋が保持されることによってその切欠き部又は凹部を塞いでおり、そして、掴み金具の受容時にはその蓋が水平方向に動かされることによってその切欠き部又は凹部を開けるものであることを特徴とする床付き布枠。
【請求項１７】
開閉可能な蓋は、掴み金具の受容時には掴み金具の下方への動きに追随して水平方向に動かされることによって、その切欠き部又は凹部を開けるものであることを特徴とする、請求項１４から１６のいずれかに記載の床付き布枠。
【請求項１８】
開閉可能な蓋は、掴み金具の受容時には手動により水平方向に動かされることによって、その切欠き部又は凹部を開けるものであることを特徴とする、請求項１４から１６のいずれかに記載の床付き布枠。
【請求項１９】
開閉可能な蓋はストッパーを備えており、掴み金具の受容時にはストッパーを外してから水平方向に動かされることによって、その切欠き部又は凹部を開けるものであることを特徴とする、請求項１４から１８までのいずれかに記載の床付き布枠。
【請求項２０】
開閉可能な蓋は、通常時にはバネの付勢力によってその切欠き部又は凹部の上面に水平に保持されていることを特徴とする、請求項１４から１９までのいずれかに記載の床付き布枠。
【請求項２１】
開閉可能な蓋は、通常時にはくさび効果のある長孔によってその切欠き部又は凹部の上面に水平に保持されていることを特徴とする、請求項１４から１９までのいずれかに記載の床付き布枠。
【請求項２２】
開閉可能な蓋は、通常時にはくびれを有する長孔によってその切欠き部又は凹部の上面に水平に保持されていることを特徴とする、請求項１４から１９までのいずれかに記載の床付き布枠。
【請求項２３】
請求項１から２２までのいずれかに記載の床付き布枠が組み込まれていることを特徴とする枠組足場。
【請求項２４】
請求項２３に記載の枠組足場であって、さらに階段部材が組み込まれていることを特徴とする枠組足場。
【発明の詳細な説明】
【技術分野】
【０００１】
本発明は、建築現場等で枠組足場の作業床及び通路として使用される床付き布枠並びにこの床付き布枠を組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、通常、横桟と縦柱から構成されるＨ形状や鳥居形状の建枠を複数個組み立てることによって形成される。すなわち、建枠の複数個を、所定の間隔で建物等の構造物とは直角に立設し、隣接する建枠の縦柱の間に筋違や手摺枠を取り付け固定して複数個の建枠を自立させた後、隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、Ｈ形状の建枠（以下、「Ｈ枠」という。）を用いて建枠式の枠組足場を形成する一例を、図１に示す。(a)が正面図、(b)が右側面図である。
【０００５】
３個のＨ枠１を建物２２とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の手摺枠１３をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に手摺枠１３をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に手摺枠１３を取り付けて固定し、その後、３段目のＨ枠１の横桟３に床付き布枠１１を架け渡して、３段目の足場を形成する。このようにして、必要な段数になるまで枠組足場を形成する。
【０００６】
また、建枠を用いる他の例として、鳥居形状の建枠（以下、「鳥居枠」という。）を用いて建枠式の枠組足場を形成する１例を、図２に示す。(a)が正面図、(b)が右側面図である。
【０００７】
まず３個の鳥居枠４を建物２２とは直角に等間隔に並べ、隣接する鳥居枠４との間に、建物とは反対側に筋違１３をロック金具８ｂに取り付け、そして建物側にも筋違１３をロック金具８ａに取り付けて、１段目の鳥居枠４を自立させることによって、１段目の足場を形成する。その後、１段目の隣接する鳥居枠４の上部の横桟３の間に２段目の足場板となる床付き布枠１１を架け渡した後、既に立設した１段目の鳥居枠４の縦柱２の上に、別途用意した鳥居枠４の縦柱２の下部を載置し、固定ピン（図示せず）で固定することによって、２段目の鳥居枠４を立設する。その後、１段目と同様にして、建物とは反対側に筋違１３をロック金具８ｂに取り付け、そして、建物側にも筋違１３をロック金具８ａに取り付けて、２段目の鳥居枠４を自立させることによって、２段目の足場を形成する。その後、２段目の隣接する鳥居枠４の上部の横桟３の間に３段目の足場板となる床付き布枠１１を架け渡した後、既に立設した２段目の鳥居枠４の縦柱２の上に、別途用意した鳥居枠４の縦柱２の下部を載置し、固定ピン（図示せず）で固定することによって、３段目の鳥居枠４を立設する。その後、２段目と同様にして、建物とは反対側に筋違１３をロック金具８ｂに取り付け、そして、建物側にも筋違１３をロック金具８ａに取り付けて、３段目の鳥居枠４を自立させることによって、３段目の足場を形成する。このようにして、必要な段数になるまで枠組足場を形成する。
【０００８】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【０００９】
図３に、緊結式足場の構造の一例を示す。(a)は緊結式足場の正面図、(b)は(a)において円で示されたコマの周辺の拡大図、そして、(c)は緊結式足場の右側面図である。
【００１０】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介してブレース材１９が取り付けられ、また、建物とは反対側の隣接する支柱１４の間には、コマ２０を介して作業用手摺１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、ブレース材１９は建物とは反対側の支柱１４の間に取り付ける場合もある。
【００１１】
２段目の足場は、１段目の足場と同様にして形成される。必要に応じて、１段目の足場の支柱１４の上端に別途用意した支柱１４を縦方向に継ぎ足した上で、ブレース材１９、手摺部材１５、腕木部材２１をコマ２０を介して取り付け緊結した後、床付き布枠１１を架け渡すことによって、形成される。これを順次繰り返すことによって、複数段の緊結式足場が形成される。
【００１２】
このように、床付き布枠は、建枠式枠組足場と緊結式枠組足場とを問わず、すべての枠組足場に組み込まれており、作業床及び通路として用いられている。
【００１３】
床付き布枠は、長尺の主材の１本又は２本以上と、主材の長手方向の両端に取り付けられる掴み金具と断面コの字形の梁材から構成されている。主材は水平面の床材部とその両縁側面を折り曲げてなる布材部とからなる。長尺の主材の両端部に断面コの字形の梁材が取り付けられ、そして、長尺の主材の両端部の四隅に掴み金具がリベット等で固定されて取り付けられる。なお、床付き布枠上を歩行する際に作業員が滑るのを防止するために、床材部の上面にはエンボス加工が施されることがある。また、床材部が幅方向に撓るのを防止するため、床材部の中央部の下側に桟木が設けられることがある。
【００１４】
上述のとおり、１枚の床付き布枠に組み込まれる主材は、１枚だけでなく、２枚の場合もあるが、１枚の床付き布枠に組み込まれる主材が１枚の場合と２枚の場合では、次のとおり、断面コの字形の梁材および掴み金具の取り付け方が異なる。
【００１５】
１枚の床付き布枠に組み込まれる主材が１枚の場合には、断面コの字形の梁材は１枚の長尺の主材の両端部それぞれ１個嵌合されて取り付けられ、そして、掴み金具は１枚の長尺の主材の両端部の四隅にリベット等で固定されて取り付けられる。
【００１６】
これに対して、１枚の床付き布枠に組み込まれる主材が２枚以上の場合には、複数枚の主材を水平方向に平行に配設した後の複数枚を合わせた長尺の主材の両端部にそれぞれ１個嵌合されて取り付けられる。そして、掴み金具は、複数本の主材を水平方向に平行に配設した後の複数枚を合わせた長尺の主材の両端部の四隅にリベット等で固定されて取り付けられる。
【００１７】
すなわち、梁材の個数は、１枚の床付き布枠に組み込まれる主材が１枚の場合も２枚以上の場合も、１枚の床付き布枠には合計２個が取り付けられることになる。また、掴み金具の個数は、１枚の床付き布枠に組み込まれる主材が１枚の場合も２枚以上の場合も、１枚の床付き布枠には合計４個が取り付けられることになる。
【００１８】
図４は、従来技術に係る床付き布枠の一例であり、(a)は組立図、(b)は完成図を、それぞれ示す。
【００１９】
この床付き布枠には、２枚の主材が組み込まれている。床付き布枠の主材３０は、上面に長尺の床材部３１とその両縁側面に一体化されて形成される長尺の布材部３２ａ、３２ｂからなり、さらに、両縁側面の下面の内側には長尺のリップ３３が長尺の布材部３２ａ、３２ｂと一体化されて設けられている。
【００２０】
このような主材３０の２本が、少し間隔を開けて、水平方向に平行に配設され、２本の主材３０の床材部３１の両端部に断面コの字形の梁材４０が嵌合して取り付けられ、溶接等で接合される。すなわち、断面コの字形の梁材４０は、上側フランジ４１と下側フランジ４２と、両フランジを連結するウエブ４３から構成されており、２本の主材３０の床材部３１の両端部は、上側フランジ４１と下側フランジ４２の間に嵌め込まれることになる。
【００２１】
また、外縁側に位置する２つの布材部３２ａの両端近傍には、掴み金具５０をリベット等で固定するための穴３４が、各々２個穿たれている。そして、外縁側に位置する布材部３２ａの両端部の内側には、断面コの字形の梁材４０の両端部との隙間に、掴み金具５０が挿入され、リベット３５で固定される。
【００２２】
図５は、図４に示す従来技術に係る床付き布枠の端部の拡大図であり、(a)は正面図、(b)は平面図、そして、(c)はＡ−Ａ面における断面図（側面図）を、それぞれ示す。
【００２３】
この床付き布枠の主材は、その剛性を高めるために、床材部３１の中央付近と両縁部近傍に、長尺方向に溝３６が成型され、そして、布材部３２ａ、３２ｂと一体化されて設けられているリップ３３の縁部は内側に屈曲した形に成型され、屈曲部３７を形成している。
【００２４】
上述したとおり、２本の主材は、少し間隔を開けて、水平方向に平行に配設され、その両端部に断面コの字形の梁材４０が嵌合され、そして、主材の床材部３１の上面の端部と梁材の上側フランジ４１の間、及び、主材のリップ３３の下面の端部と梁材の下側フランジ４２の間が、それぞれ、溶接Ｗ１及びＷ２によって接合される。溶接Ｗ１及びＷ２は、線溶接でもよいし、間隔を開けた点溶接でもよい。次いで、外縁側に位置する布材部３２ａの両端部の内側には、断面コの字形の梁材４０の両端部との隙間に掴み金具５０が挿入され、外縁側に位置する布材部３２ａのリベット穴３４と掴み金具のリベット穴５１とが位置合わせされた後、リベット３５で掴み金具５０が固定される。さらに、外縁側に位置する布材部３２ａの端部と掴み金具５０の外側面の間が、溶接Ｗ４によって接合される。溶接Ｗ４は、線溶接でもよいし、間隔を開けた点溶接でもよい。
【００２５】
なお、掴み金具５０はその先端に湾曲部を有しており、足場を構成する建枠の横桟又は腕木材の上にその湾曲部の内側を引っかけることで、床付き布枠を隣接する建枠の横桟又は腕木材の間に取り付けるためのものである。ここでは、掴み金具５０は外れ止め５２を有しており、外れ止め５２を建枠の横桟又は腕木材の下側に突出させることによって掴み金具５０が誤って建枠の横桟又は腕木材から外れないようにすることができる。
【００２６】
次に、このようにして形成された床付き布枠は、前述したとおり、枠組足場の作業床および通路として使用されるのであるが、建枠式足場の場合には隣接する横桟３の間に、そして、緊結式足場の場合には隣接する腕木材２１の間に架け渡される。このとき、枠組足場の作業床および通路の幅、即ち、建枠の横桟の長さ又は腕木材の長さに応じて、床付き布枠を１枚又は２枚以上並べて架け渡すことによって、作業床又は通路が形成される。
【００２７】
なお、床付き布枠の幅は通常、２４０ｍｍ幅と５００ｍｍ幅の２種類が用いられ、それぞれ、小アンチ（小布板ともいう。）及び大アンチ（大布板ともいう。）と呼称される。
【００２８】
図６に、従来技術に係る床付き布枠の２例を示す。(a)が小アンチ２５であり、(b)が大アンチ２６である。いずれも平面図である。(a)の小アンチ２５は２４０ｍｍ幅の主材３０の１枚のみで２４０ｍｍ幅の床付き布枠としたものであり、(b)の大アンチ２６は２４０ｍｍ幅の主材３０を２枚並べて合わせて５００ｍｍ幅の床付き布枠としたものであることが示されている。なお、これらの例では、床付き布枠上を歩行する際に作業員が滑るのを防止するために、床材部３１の上面にはエンボス加工７１が施されている。また、主材３０が幅方向に撓るのを防止するため、主材３０の中央部の下側に桟木７０が設けられている。
【００２９】
そして、建枠の横桟の長さと腕木材の長さは、インチサイズとメーターサイズがあるが、インチサイズを例として挙げると、通常、６１０ｍｍ、９１４ｍｍ及び１２１９ｍｍの３種類のものが揃えられている。
【００３０】
したがって、通常、床付き布枠を枠組足場の作業床および通路として設置する場合、６１０ｍｍ幅を形成するには大アンチ（５００ｍｍ幅）を１枚用いて架け渡すことになり、９１４ｍｍ幅を形成するには大アンチ（５００ｍｍ幅）１枚と小アンチ（２４０ｍｍ幅）１枚を並べて架け渡すことになり、そして、１２１９ｍｍ幅を形成するには大アンチ（５００ｍｍ幅）を２枚並べて架け渡すことになる。
【００３１】
図７に、従来技術に係る床付き布枠１１を隣接する建枠の横桟３の間に架け渡して作業床および通路として設置したときの３例を示す。 (a)が６１０ｍｍ幅の設置例、(b)が９１４ｍｍ幅の設置例、そして、(c)が１２１９ｍｍ幅の設置例である。いずれも、床付き布枠１１を隣接する建枠の横桟３の間に架け渡して設置したときの横桟３の近傍の拡大図（平面図）である。(a)の６１０ｍｍ幅は大アンチ２６（５００ｍｍ幅）１枚から、(b)の９１４ｍｍ幅は大アンチ２６（５００ｍｍ幅）１枚と小アンチ２５（２４０ｍｍ幅）１枚から、そして、(c)の１２１９ｍｍ幅は大アンチ２６（５００ｍｍ幅）２枚から、それぞれ、形成されていることが示されている。なお、これらの例では、床付き布枠上を歩行する際に作業員が滑るのを防止するために、床材部の上面にはエンボス加工７１が施されている。
【００３２】
次に、枠組足場においては、作業員が枠組み足場を組立若しくは解体する作業をするために又は枠組み足場内を移動するために、階段を枠組足場に組み込む必要がある。この場合、上段の足場における床付き布枠の１枚又は２枚を取り外して、上下の足場を構成する建枠の横桟又は腕木材の間に、両端部に掴み金具が取り付けられた階段部材を斜めに架け渡すことによって、枠組足場に階段を組み入れることができる。階段部材を枠組足場に組み込んでなる枠組足場は、たとえば特許文献１に開示されている。
【００３３】
図８に、従来技術に係る枠組足場に階段部材７５を組み込んだときの２例（平面図）を示す。この場合、階段部材は(a)及び(b)に示すとおり、道路側と建物側のいずれにも組み込むことができる。ここでは、作業床および通路の幅は９１４ｍｍ幅であり、したがって、床付き布枠１１は、大アンチ２６（５００ｍｍ幅）と小アンチ２５（２４０ｍｍ幅）の各１枚が水平方向に平行に並べられて、隣接する建枠の横桟３の間に架け渡されている。
【００３４】
しかしながら、床付き布枠の両端部の掴み金具を建枠の横桟又は腕木材に取り付けることによって、隣接する建枠の横桟又は腕木材の間に床付き布枠を架け渡すと、床付き布枠の両縁側及び両端には隙間が生じることになる。このような隙間があると、作業員が枠組み足場を組立若しくは解体する作業中に又は枠組み足場内を移動中に、枠組み足場の隙間から工具や建築資材等を落下させたりするおそれがある。
【００３５】
このため、床付き布枠の両縁側の隙間については、通常、床付き布枠の道路側には、あるいはさらに建物側に、巾木（図示せず）を設置することによって、その隙間を塞ぐことがなされている。
【００３６】
次に、床付き布枠の両端の隙間について説明する。床付き布枠の両端の隙間は、建枠の横桟又は腕木材を介して隣接する床付き布枠の間に形成される。
【００３７】
図９は、隣接する建枠の横桟３に従来技術に係る床付き布枠１１を架け渡す際に床付き布枠の両端に生じる隙間７２を示す一例（平面図）である。ここでは、床付き布枠の梁材４０と横桟３との間に、大きな隙間７２が生じている。したがって、枠組み足場の隙間から工具や建築資材等が落下するおそれがある。
【００３８】
この隙間対策として、床付き布枠の両端の隙間を少なくしたり、なくしたりすることが、考えられる。
【００３９】
床付き布枠の両端の隙間を少なくするためには、床付き布枠の端面を外方向に延長すればよい。床付き布枠自体の長手方向の長さを従来よりも長くするだけでも、床付き布枠の端面を外方向に延長することができる。そのためには、床付き布枠の主材を構成する布材部と床材部の長手方向の長さを従来よりも長くするか、又は布枠の両端部に設けられる梁材の幅を従来よりも広くすればよい。また、建枠の横桟又は腕木材が通常は円管形状であることを考慮すると、床付き布枠の両端部に設けられる梁材の上側フランジを布枠端面の外方向に延長させた形状とするだけでもよい。これらの手法によって床付き布枠自体の長手方向の長さを従来よりも長くする代わりに、梁材の外側に梁材と平行に突出部材を接合することによって、実質的に端面を延長してもよい。特許文献２には、掴み金具は主材の布材部の両端に取り付けられたままであるが、床付き布枠の両端部に設けられる梁材の上側フランジを布枠端面の外方向に延長させた形状とすることによって、この隙間を少なくする手法が開示されている。
【００４０】
図１０は、床付き布枠の端面を外方向に延長することによって、床付き布枠の両端の隙間を少なくした一例（平面図）である。ここでは、図９に示す床付き布枠の両端部に設けられる梁材の幅を従来よりも広くすることによって、床付き布枠の梁材４０と横桟３との間の隙間７２はほとんどなくなっている。
【００４１】
図１１は、床付き布枠の端面をさらに外方向に延長することによって、床付き布枠の両端の隙間を少なくした他の例（平面図）である。これは、特許文献２に示された床付き布枠であって、床付き布枠１１の両端部の梁材４０の上側フランジを布枠端面の外方向に延長する形で突出させて突出部４４が形成され、そして、掴み金具５０は主材の布材部３２ａ、３２ｂの両端に取り付けられている。掴み金具５０は建枠の横桟３又は腕木材２１を確実に掴んでいるので、床付き布枠１１は隣接する建枠の横桟３又は腕木材２１の間に架設することができる。また、床付き布枠の梁材４０と横桟３との間の隙間７２はなくなっている上に、隣接する床付き布枠の梁材の突出部４４の間にわずかに残る隙間７２は横桟３の上にあるので、実際のところ、隙間７２はなくなっていると言ってよい。したがって、枠組み足場の隙間から工具や建築資材等が落下するおそれはない。
【００４２】
これに対して、床付き布枠の両端の隙間をなくすことは、主材の布材部の両端に取り付けられる掴み金具を不要にすることによって、実現することができる。例えば、特許文献３及び４には、床付き布枠の両端部に設けられる梁材の全体を布枠端面の外方向に延長させるとともに外向きに凹凸形状の切欠き部又は凹部を設け、梁材に掴み金具の機能を持たせることによって主材の布材部の両端に取り付けられる掴み金具を不要にするとともに、建枠の横桟又は腕木材を介して隣接する床付き布枠の端部に設けられた梁材に外向きに設けられた凹凸形状の切欠き部又は凹部と互いに嵌合させることで、この隙間をなくす手法が開示されている。
【００４３】
【特許文献１】特開平１１−３６５７２号公報
【特許文献２】特開２００１−３１１３０４号公報
【特許文献３】特開２００５−６８９３４号公報
【特許文献４】特開平９−１３６６０号公報
【発明の開示】
【発明が解決しようとする課題】
【００４４】
上述したように、床付き布枠の両縁側の隙間については、通常、床付き布枠の道路側に、あるいはさらに建物側に、巾木（図示せず）を設置することによって、その隙間を塞ぐことができる。
【００４５】
そして、床付き布枠の両端の隙間については、床付き布枠の両端部の端面を外方向に延長することによって、建枠の横桟又は腕木材との間の隙間を少なくしたり、なくしたりすることが、上記の特許文献２〜４において開示されている。
【００４６】
ところで、階段を枠組足場に組み込む場合には、上段の足場における床付き布枠の１枚又は２枚を取り外して、上下の足場を構成する建枠の横桟又は腕木材の間に、両端部に掴み金具が取り付けられた階段部材を斜めに架け渡すことになる。しかしながら、上記の特許文献２〜４において開示されている、両端部の端面を延長してなる床付き布枠を用いた場合には、階段部材の掴み金具が建枠の横桟又は腕木材を掴むことができないという事態が発生する。
【００４７】
図１２は、図１０に示された床付き布枠を隣接する建枠の横桟の間に架け渡したところに階段部材を設置する２例の部分平面図である。梁材の幅を従来よりも広くすることによって布枠端面間の隙間を少なくしてなる、床付き布枠の大アンチ２６（５００ｍｍ幅）と小アンチ２５（２４０ｍｍ幅）の各１枚が水平方向に平行に並べられて、隣接する建枠の横桟３の間に架け渡されたところに階段部材７５が設置される。ここで、階段部材７５は、(a)の場合には取り付けることができるが、(b)の場合には階段部材７５の掴み金具５０の先端が床付き布枠の幅を拡げられた梁材４０にぶつかるから、階段部材７５を取り付けることができない。すなわち、階段部材を設置しようとしても、階段部材の設置場所は組み立てられた枠組足場の構造によって道路側又は建物側のいずれかに固定されている。したがって、道路側と建物側のうちから自由に設置場所を選択することはできない。
【００４８】
図１３は、図１０に示された床付き布枠を隣接する建枠の横桟の間に架け渡したところに階段部材を設置する他の２例の部分平面図である。梁材の幅を従来よりも広くすることによって布枠端面間の隙間を少なくしてなる、床付き布枠の大アンチ２６（５００ｍｍ幅）の２枚が水平方向に平行に並べられて、隣接する建枠の横桟３の間に架け渡されたところに階段部材７５が設置される。ここで、階段部材７５は、(a)の場合には取り付けることができるが、(b)の場合には階段部材７５の掴み金具５０の先端が床付き布枠の幅を拡げられた梁材４０にぶつかるから、階段部材７５を取り付けることができない。すなわち、階段を道路側又は建物側のいずれにも組み込むことができるが、中央部に組み込むことができない。
【００４９】
これらの階段設置場所の問題は、特許文献２に示された床付き布枠を隣接する建枠の横桟の間に架け渡したところに階段部材を設置する場合にも同様に生じる。階段部材の設置場所は固定されており、自由に選択することはできないからである。
【００５０】
そして、床付き布枠の両端の隙間をなくした場合には、階段部材の掴み金具を取り付けるべき建枠の横桟が完全に隠れてしまうために、掴み金具を用いて階段部材を組み入れることは不可能となる。すなわち、特許文献３及び４に示された、床付き布枠の両端部に設けられる梁材の全体を布枠端面の外方向に延長させるとともに外向きに凹凸形状の切欠き部又は凹部を設けてなる床付き布枠は、そもそも階段部材を取り付けることができない。
【００５１】
本発明は、このような問題を解決するためになされたものであって、床付き布枠の両端の隙間を少なくするために、床付き布枠の端面を外方向に延長したり、又は、梁材の外側に梁材と平行に突出部材を接合したりした場合であっても、階段部材をどの場所にも組み込むことが可能な床付き布枠と、この床付き布枠を組み込んでなる枠組足場を提供することを目的とする。
【課題を解決するための手段】
【００５２】
本発明者らは、上記目的を解決するために、種々の検討を重ねた結果、次の(a)〜(n)の知見を得た。
【００５３】
(a) 床付き布枠の両端の隙間をなくした場合には、階段部材の掴み金具を取り付けるべき建枠の横桟が完全に隠れてしまうために、掴み金具を用いて階段部材を組み入れることは不可能となる。すなわち、特許文献３及び４に示される床付き布枠が取り付けられ固定されてなる建枠の横桟に、掴み金具を介して階段部材を取り付けることはできない。したがって、掴み金具を介して階段部材を枠組足場に組み込む場合には、床付き布枠の両端の隙間をなくすことはできない。
【００５４】
(b) しかしながら、床付き布枠の両端の隙間を完全になくすまでに至らなくても、床付き布枠の両端の隙間を少なくするだけでも、工具や建築資材等が隙間から落下するおそれは小さくなる。そして、その床付き布枠の両端の隙間を少なくするために、床付き布枠の端面を外方向に延長するか、又は、梁材の外側に梁材と平行に突出部材を接合すれば足りる。したがって、このときの問題点は、掴み金具を介して階段部材を枠組足場に組み込む場合に、階段部材の設置場所が、道路側、建物側、あるいは中央部に固定されているので、自由に選択することはできない点である。
【００５５】
(c) 床付き布枠を建枠の横桟又は腕木材の間に架け渡すための掴み金具は、通常、特許文献２に開示されたように、主材の両端部の四隅に固定されている。階段部材を枠組足場に組み込む際には、上段の足場における床付き布枠の１枚又は２枚を取り外して、上下の足場を構成する建枠の横桟又は腕木材の間に、両端部に掴み金具が取り付けられた階段部材を斜めに架け渡すことになる（下端部は掴み金具で建枠の横桟又は腕木材を掴む代わりに、下段の床付き布枠の上に載置又は固定してもよい。以下同じ。）。ここで、階段部材の掴み金具は階段側面の長尺部材に取り付けられるから、階段部材の掴み金具は階段部材の両端部の四隅に固定されることになる。したがって、床付き布枠の掴み金具の位置と階段部材の掴み金具の位置が合致すれば、両者の掴み金具の位置の互換性を確保することができる。
【００５６】
床付き布枠の掴み金具の位置と階段部材の掴み金具の位置の互換性について、５００ｍｍの幅の階段部材を例にとって検討すると、この階段部材の幅は小アンチ（２４０ｍｍ幅）２枚分又は大アンチ（５００ｍｍ幅）１枚分に相当する。
【００５７】
したがって、掴み金具を主材の両端部の四隅に固定してなる小アンチとの掴み金具の位置との互換性は必ず備わっているので、小アンチのみに隣接して５００ｍｍの幅の階段部材を組み入れるときには、小アンチがその両端の隙間を少なくしたものであったとしても、階段部材の掴み金具は建枠の横桟又は腕木材を確実に掴むことができる。
【００５８】
(d) したがって、その両端の隙間を少なくした大アンチに隣接する場合であっても、掴み金具の位置との互換性を必ず確保するためには、階段部材の掴み金具が、既に隣接して設置された大アンチの延長された端面にぶつからないようにすればよい。そのためには、階段部材の掴み金具が建枠の横桟又は腕木材を掴むであろう場所の近傍に、床付き布枠の端面に隙間を作ればよい。
【００５９】
すなわち、梁材の断面形状にかかわらず、梁材の中央部に外向きの切欠き部又は凹部を設ければよい。梁材の外側に梁材と平行に突出部材を接合した場合には、その突出部材の中央部に外向きの切欠き部又は凹部を設ければよい。このようにすれば、階段部材の掴み金具は建枠の横桟又は腕木材を確実に掴むことができる。
【００６０】
(e) 本発明者らは、このような着想の下に、床付き布枠の梁材の中央部に外向きの切欠き部又は凹部を設けてみた。また、梁材自体に外向きの切欠き部又は凹部を設ける代わりに、梁材の外側に梁材と平行に突出部材を接合して、その突出部材の中央部に切欠き部又は凹部を設けてみた。以下は、梁材の中央部に外向きの凹部を設けてなる床付き布枠を例にとって、図１４〜図１７を用いて説明する。
【００６１】
図１４は、梁材の中央部に外向きの凹部を設けてなる床付き布枠の一例の端部を示したものであり、(a)は平面図、(b)は(a)のＡ−Ａ矢視方向の拡大側面図（断面図）である。
【００６２】
この床付き布枠は、長尺の主材３０の２枚を水平方向に平行に２枚配設し、床材部３１の端面に上側フランジ４１と下側フランジ４２とウェブ４３から形成される梁材４０が嵌合されて取り付けられたものであり、大アンチ（５００ｍｍ幅）の類である。ただし、梁材４０のうち、水平面の上側フランジ４１は梁材の幅方向の外側に延長し、垂直面のウェブ４３の全部を外側に傾斜させることによって、突出部４４が形成されているので、梁材４０は図１４(b)に見るごとく、断面が倒立台形状を有している。さらに、梁材の上部フランジの突出部４４には、その中央部に凹部４６が設けられている。そして、掴み金具５０は主材の布材部３２ａ、３２ｂの両端に取り付けられている。ここでは、床材部３１の上面にはエンボス加工が施されていて、床付き布枠上を歩行する際に作業員が滑るのを防止しているが、その必要がない場合にはエンボス加工を施さなくてもよい。なお、床材部３１が幅方向に撓るのを防止するため、床材部３１の長手方向の中央部の下側に桟木を設けてもよい。
【００６３】
図１５は、図１４に示される床付き布枠を、隣接する建枠２の横桟３の間に架け渡したときの床付き布枠の端部の状況を示す平面図である。
【００６４】
床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、梁材の上部フランジの突出部４４には、その中央部に凹部４５が設けられているため、その凹部４６の分だけ、隙間は広くなっている。
【００６５】
図１６は、図１４に示される床付き布枠（大アンチ）を小アンチと組み合わせて、隣接する建枠の横桟の間に架け渡したところに階段部材を設置する２例の部分平面図である。図１４に示される床付き布枠１１（大アンチ２６）と小アンチ２５（２４０ｍｍ幅）の各１枚が水平方向に平行に並べられて、隣接する建枠の横桟３の間に架け渡されたところに階段部材７５が設置される。(a)の場合はもちろん、(b)の場合であっても階段部材７５を取り付けることが可能であることが分かる。これは、梁材の上部フランジの突出部４４には、その中央部に凹部４６が設けられているため、階段部材の掴み金具５０は隣接する床付き布枠の梁材にぶつかることはないので、(b)の場合であっても階段部材７５を取り付けることができるようになったためである。すなわち、図１４に示す床付き布枠を用いると、階段の設置場所は、道路側又は建物側のいずれかに固定されることはなく、道路側と建物側のうちから自由に設置場所を選択することができる。図１２(b)と比較すれば、その違いがよく分かる。
【００６６】
図１７は、図１４に示される床付き布枠（大アンチ）の２枚を隣接する建枠の横桟の間に架け渡したところに階段部材を設置する２例の部分平面図である。図１４に示される床付き布枠１１（大アンチ２６）の２枚が水平方向に平行に並べられて、隣接する建枠の横桟３の間に架け渡されたところに階段部材７５が設置される。(a)の場合はもちろん、(b)の場合であっても階段部材７５を取り付けることが可能であることが分かる。これは、梁材の上部フランジの突出部４４には、その中央部に凹部４６が設けられているため、階段部材の掴み金具５０は隣接する床付き布枠の梁材にぶつかることはないので、(b)の場合であっても階段部材７５を取り付けることができるようになったためである。すなわち、図１４に示す床付き布枠を用いると、階段の設置場所は、道路側又は建物側だけに固定されることはなく、中央部でもよいから、階段を道路側、中央部、建物側のいずれにも自由に組み込むことができる。図１３(b)と比較すれば、その違いがよく分かる。
【００６７】
以上は、梁材の上側フランジを梁材の幅方向の外側に延長して突出部４４を形成し、その中央部に外向きの凹部を設けてなる床付き布枠で説明したが、梁材の下側フランジを梁材の幅方向の外側に延長して突出部４４を形成し、その中央部に外向きの凹部を設けてなる床付き布枠であっても、階段を道路側、中央部、建物側のいずれにも自由に組み込むことができる。また、梁材の中央部に外向きの凹部を設ける代わりに、外向きの切欠き部を設けてもよい。さらに、梁材自体に外向きの切欠き部又は凹部を設ける代わりに梁材の外側に梁材と平行に突出部材を接合してその突出部材の中央部に切欠き部又は凹部を設けてもよい。
【００６８】
(f) 外向きの切欠き部又は凹部を設ける、床付き布枠の梁材の断面形状としては、従来どおりコの字形状であってもよいが、床付き布枠の端面の上面部を突出させてなる形状でもよい。その上面部を突出させるためには、床付き布枠を構成する主材の長手方向の両端に取り付けられる梁材の形状を工夫すればよい。従来の梁材は、水平面の上側フランジと下側フランジと垂直面のウェブから形成されかつその断面コの字形状であるが、水平面の上側フランジを布枠端面の外方向に延長する形で突出させることによって形成される倒立ｈ形状であるとすればよい。あるいは、水平面の上側フランジを布枠端面の外方向に延長しかつ垂直面のウェブの全部又は一部を布枠端面の外方向に傾斜させることによって形成される倒立台形状又は変形台形状としてもよい。
【００６９】
床付き布枠の梁材の断面形状は、図１４(b)に示した断面形状の外に、たとえば、図１８〜図２１を挙げることができる。なお、いずれの図も、外向きの切欠き部又は凹部における断面を示している。
【００７０】
図１８は、断面が倒立ｈ形状を有している。梁材の上部フランジの突出部４４には、その中央部に切欠き部４５が設けられている。
【００７１】
図１９は、断面が倒立台形状を有しており、梁材の上部フランジの突出部４４には、その中央部に凹部４６が設けられている点は、図１４(b)に示されたものと同じであるが、凹部の切り込み深さが図１４(b)に示されたものより深い。
【００７２】
図２０は、断面が倒立変形台形状を有している。梁材の上部フランジの突出部４４には、その中央部に凹部４６が設けられている。
【００７３】
図２１は、断面はコの字形状である。そして、梁材の幅方向の外側の中央部には凹部４６が設けられている。
【００７４】
なお、床付き布枠の端面の下面部を突出させてなる梁材の断面形状は、特に例示することはしないが、基本的には上記の床付き布枠の端面の上面部を突出させてなる梁材の断面形状の上下を入れ替えた断面形状となる。
【００７５】
(g) 床付き布枠の梁材に切欠き部又は凹部を設ける代わりに、突出部材を梁材の外側に梁材と平行に接合して、ここに外向きの切欠き部又は凹部を設ける場合の突出部材の断面の形状としては、コの字形状であってもよいし、平板であってもよい。また、倒立Ｈ形状、倒立Ｌ型形状、倒立山形又は三角形状のものであってもよい。接合は、線溶接や点溶接等で溶接することによって行うことができるし、ボルトナットやリベット等で固定することによって行うこともできる。必要に応じて、リブ等で補強をすることもできる。
【００７６】
突出部材の断面形状は、たとえば、図２２〜図２６を挙げることができる。なお、いずれの図も、外向きの切欠き部又は凹部における断面を示している。
【００７７】
図２２は、上側フランジ４１と下側フランジ４２とウェブ４３から形成される断面コの字形状の梁材４０の外側に梁材と平行に、断面が倒立Ｌ形状の突出部材６０を線溶接Ｗ３により接合したものである。そして、突出部材６０には、その中央部に切欠き部６１が設けられている。
【００７８】
図２３は、図２２の変形例である。上側フランジ４１と下側フランジ４２とウェブ４３から形成される断面コの字形状の梁材４０の外側に梁材と平行に、断面が倒立Ｌ形状の突出部材６０を線溶接Ｗ３により接合したものである。図２２と異なる点は、突出部材６０を２部材に分割し、この２部材の間の間隔をあけることで、実質的に切り欠き部６１を形成した点である。
【００７９】
図２４は、上側フランジ４１と下側フランジ４２とウェブ４３から形成される断面コの字形状の梁材４０の外側に梁材と平行に、断面が三角形状の突出部材６０を線溶接Ｗ３により接合したものである。そして、突出部材６０には、その中央部に凹部６２が設けられている。
【００８０】
図２５は、図２４の変形例である。上側フランジ４１と下側フランジ４２とウェブ４３から形成される断面コの字形状の梁材４０の外側に梁材と平行に、突出部材６０を線溶接Ｗ３により接合し、突出部材６０にはその中央部に凹部６２が設けられたものである。図２４と異なる点は、突出部材として山形鋼を倒立させて用いている点である。ただし、山形鋼を用いても突出部材の断面は三角形状となっていることが分かる。
【００８１】
図２６は、上側フランジ４１と下側フランジ４２とウェブ４３から形成される断面コの字形状の梁材４０の外側に梁材と平行に、平板の突出部材６０を線溶接Ｗ３により接合するとともに、リブ６３により補強したものである。そして、突出部材６０には、その中央部に切欠き部６１が設けられている。
【００８２】
なお、下面部を外方向に突出させてなる突出部材の断面形状は、特に例示することはしないが、基本的には上記の上面部を外方向に突出させてなる突出部材の断面形状の上下を入れ替えた断面形状となる。
【００８３】
(h) このように、梁材又は突出部材の中央部に外向きの切欠き部又は凹部を設けてなる床付き布枠を用いれば、建枠の横桟又は腕木材の間に架け渡したときに床付き布枠の両端の隙間を少なくできるとともに、床付き布枠に隣接して階段部材を組み入れるときに階段部材の掴み金具が建枠の横桟又は腕木材を確実に掴むことができ、もって、階段をどの場所にも自由に組み込むことが可能となる。
【００８４】
なお、以上は、梁材又は突出部材の中央部に外向きの切欠き部又は凹部を設けてなる床付き布枠を例にとって説明してきたが、建枠の横桟又は腕木材の間に架け渡したときに床付き布枠の両端の隙間を少なくできるとともに、床付き布枠に隣接して階段部材を組み入れるときに階段部材の掴み金具が建枠の横桟又は腕木材を確実に掴むことができればよいのであるから、必ずしも梁材又は突出部材の中央部に外向きの切欠き部又は凹部を設けなければならないというものではない。
0005386133.tif 000002
【００８５】
(i) しかしながら、梁材又は突出部材に切欠き部又は凹部を設けた床付き布枠は、その切欠き部又は凹部において、隣接する梁材の間の隙間は広くなっている。
【００８６】
したがって、このような切欠き部又は凹部を梁材又は突出部材に設けた床付き布枠を、枠組足場内の階段部材の掴み金具を組み込まない場所に用いる場合には、切欠き部の下部には横桟が通っているため、この切欠き部又は凹部の隙間から大型の工具や建築資材等が落下するおそれは小さいものの、ボルト、ナット等の小物が落下するおそれは否めない。また、作業員が作業中にこの隙間に足を引っかけ、転んでしまうおそれもある。
【００８７】
(j)本発明者らは、このように、外向きの切欠き部又は凹部を設けることによって想定される問題点を解決すべく、さらに検討を重ねた結果、その切欠き部又は凹部に開閉可能な蓋を設け、通常時にはその切欠き部又は凹部の上面に蓋をすることによって隙間を塞いでおき、階段部材を建枠の横桟又は腕木材に取り付ける際に、階段部材の掴み金具を梁材の切欠き部又は凹部に受容する必要があるときに蓋を開けて掴み金具を受容すれば、その掴み金具は建枠の横桟又は腕木材を確実に掴むことができることに思い至った。また、この蓋が開いているのは掴み金具を受容しているときであるから、隙間を塞ぐ蓋が開いていてもその隙間には掴み金具が邪魔をしているので、その分、工具や建築資材が落下したりするおそれは小さい。
【００８８】
ここで、梁材又は突出部材に設ける外向きの切欠き部と凹部は、いずれも同等の効果がある。そして、この開閉可能な蓋は、梁材に外向きの切欠き部又は凹部を設けてなる床付き布枠と、突出部材に外向きの切欠き部又は凹部を設けてなる床付き布枠とを問わず、設置することが可能であり、いずれにも同等の効果がある。したがって、以下は、主として、「梁材に外向きの凹部を設けてなる床付き布枠」を例にとって説明するが、「梁材に外向きの切欠き部を設けてなる床付き布枠」並びに「突出部材に外向きの凹部を設けてなる床付き布枠」及び「突出部材に外向きの切欠き部を設けてなる床付き布枠」もまた、「梁材に外向きの凹部を設けてなる床付き布枠」と同等の効果があることは明らかである。
【００８９】
(k) 切欠き部又は凹部に設ける開閉可能な蓋としてまず思いつくのは、切欠き部又は凹部の上を塞ぐことができる開閉蓋を、回転軸を有する蝶番により開閉可能に設置することである。
【００９０】
図２７は、外向きの凹部を有する梁材を設けてなる床付き布枠の凹部の上を塞ぐことができる開閉蓋を、回転軸を有する蝶番により開閉可能に設置した例である。ここで、図２７(a)は、回転軸８１を有する蝶番８２により開閉蓋８０を開閉可能に設置した例（平面図）であり、そして、図２７(b)は図２７(a)のＡ−Ａ矢視断面図である。
【００９１】
ここでは、床付き布枠の梁材は、突出部４４を有する上側フランジ４１と、下側フランジ４２と、上部を外側に傾斜させてなるウェブ４３からなり、断面は倒立台形状となっている。そして、梁材の中央部の上部フランジの突出部４４とウェブ４３には、外向きに凹部４６が設けられている。なお、凹部を形成したために低下した強度を補強するために、断面コの字形の補強部材４７が凹部の内周面に接合されている。
【００９２】
しかしながら、開閉蓋８０は梁材の凹部の上に単に載置されている状態であって、回転軸８１の回りに上方に回転可能である。したがって、梁材の凹部の上に設置された開閉蓋８０が風にあおられると、白抜き矢印で示すように、上方に持ち上げられて、開閉蓋８０が蝶番８２の回転軸８１の回りに簡単に回転して、反転してしまうおそれがある。開閉蓋８０が反転した場合には、その都度、持ち上がった開閉蓋８０を手動によって閉じる動作が必要となるし、不意に持ち上がった開閉蓋８０に作業員がつまずいて転倒するおそれがある。
【００９３】
(l) このように、切欠き部又は凹部の上面に設ける開閉可能な蓋は、不意に持ち上がって作業員がつまずいて転倒するおそれがあるので、開閉蓋が風力等で自然に上方へ回転することがないようにするのが好ましい。このためには、たとえば、開閉蓋には上方への回転防止用のストッパー等を設置すればよい。また、下方への回転防止用ストッパーを備えておけば、通常時にはその切欠き部又は凹部の上面に開閉蓋を確実に保持することができるので、さらに好ましい。
【００９４】
したがって、切欠き部又は凹部の上面に設ける開閉蓋は、通常時には、風力等で自然には上方にも下方にも開かない構造にするのが好ましい。このような構造としては、開閉蓋自体を重くするか若しくは重りを付けることで足りる。ただし、通常時には、風力等で自然には上方にも下方にも確実に開かない構造にするために、開閉蓋に回転防止用のストッパー等を設置する方法、コイルバネ、引きバネ、押しバネ等のバネを設置してバネの付勢力を利用して開閉蓋を水平に保持する方法、くさび効果のある凸部や突起によって開閉蓋を水平に保持する方法、くさび効果のある長孔によって開閉蓋を水平に保持する方法、くびれを有する長孔によって開閉蓋を水平に保持する方法、凸部又は突起を長孔と嵌合させることによって開閉蓋を水平に保持する方法などを採用するのが好ましい。
【００９５】
階段部材の掴み金具を切欠き部又は凹部に受容する必要があるときに、蓋を下方に回転させて開閉蓋を開ける代わりに、水平方向に移動させて、開閉蓋を開けるようにしてもよい。この場合には、開閉蓋に格別、上方又は下方へ開かない構造としなくても、風力等で自然に上方にも下方にも開くことはない。
【００９６】
そして、切欠き部又は凹部の上面に設ける開閉蓋は、蓋を開閉する必要があるときに、人為的な力をかけることではじめて蓋が下方又は水平方向に開く構造とするのが好ましい。この人為的な力としては、まずは、その都度、作業員により手動で蓋を開くことが考えられる。また、掴み金具を切欠き部又は凹部に受容する際には、掴み金具を下方に動かすという動作をすることになるから、その掴み金具の下方への動きに追随して開閉蓋が下方又は水平方向に動くことで、切欠き部又は凹部を開けるようにしてもよい。
【００９７】
掴み金具の下方への動きに追随して開閉蓋が下方に動くようにするためには、開閉蓋をしならせることができるゴム材で構成すれば足りるし、あるいは板バネを介して蓋を保持してもよい。また、コイルバネ、引きバネ、押しバネ等のバネの付勢力に逆らう形で、回転軸を中心として蓋を下方に回転させてもよい。
【００９８】
掴み金具の下方への動きに追随して、水平方向に移動可能な開閉蓋が水平方向に動くようにするためには、その掴み金具が下方に動く際に開閉蓋の縁の側部に掴み金具の先端が当たるようにすればよい。掴み金具が下方に動く際に、開閉蓋の縁部には掴み金具の先端から水平方向の力が働くから、開閉蓋全体が水平方向に動くことになる。
【００９９】
(m) 床付き布枠には、作業中にその上面にコンクリートやペンキ等が付着することがあり、枠組足場を解体後に、「ケレン機」という機械を用いて床付き布枠に付着したコンクリートやペンキ等を除去する作業をすることがある。「ケレン機」は、鉄製のリング等を多数備えており、このリングを床付き布枠の上面に叩き付けることで付着物が除去できるものであるが、薄い鉄板を曲げるほどの衝撃が床付き布枠の上面に加わる。したがって、床付き布枠を構成する梁材の上面にもこのような衝撃が加わることになるから、開閉蓋はその衝撃に耐えうる構造とするのが好ましい。
【０１００】
さらに、図２７に示すように、梁材あるいは突出部材の上面に回転軸８１を設けると、コンクリートやペンキ等が蝶番８２の回転軸８１に付着して回転できなくなる場合があり、また、これらをケレン機で除去しようとすると蝶番８２の回転軸８１を傷める場合があるので、回転軸を有する開閉蓋を用いるときは、その回転軸は梁材あるいは突出部材の上面のレベルより下方に設けるのが好ましい。
【０１０１】
(n) なお、通常時であってもその外向きの切欠き部又は凹部の上面に設けた蓋が開いていても構わない場合がある。たとえば、その外向きの切欠き部又は凹部が組み込まれる場所が通路の縁部に近い場合には、作業員がこの切欠き部又は凹部に足を引っかけるおそれは少ないし、その切欠き部又は凹部を上面からみたときの見かけのの面積が小さい場合には工具や建築資材が落下したりするおそれは小さくなるからである。さらに、この蓋が開いているのは掴み金具を受容しているときであるから、この切欠き部又は凹部を塞ぐ蓋が開いていてもその隙間には掴み金具が邪魔をしているので、その分、工具や建築資材が落下したりするおそれは小さくなる。
【０１０２】
本発明は、このような知見に基づいて完成したものであって、次の(1)〜(22)の床付き布枠及び(23)〜(24)の枠組足場を要旨とする。以下、(1)〜(22)を総称して、本発明ということもある。
【０１０３】
(1) 掴み金具を受容可能な１個又は複数個の切欠き部又は凹部を非端部に外向きに有する梁材を両端に備える床付き布枠であって、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が下方に動かされることによってその切欠き部又は凹部を開けるものであることを特徴とする床付き布枠。
【０１０４】
(2) 梁材を両端に備える床付き布枠であって、掴み金具を受容可能な１個又は複数個の切欠き部又は凹部を非端部に外向きに有する突出部材が両方の梁材の外側に梁材と平行に接合されていて、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が下方に動かされることによってその切欠き部又は凹部を開けるものであることを特徴とする床付き布枠。
【０１０５】
(3) 梁材を両端に備え、一方の梁材の外側には掴み金具を受容可能な１個又は複数個の切欠き部又は凹部を非端部に外向きに有する突出部材が平行に接合されていて、その切欠き部又は凹部には開閉可能な蓋が設けられており、他方の梁材は掴み金具を受容可能な１個又は複数個の切欠き部又は凹部を非端部に外向きに有していて、その切欠き部又は凹部には開閉可能な蓋が設けられている床付き布枠であって、通常時にはその切欠き部又は凹部の上面に水平にその蓋が保持されることによってその切欠き部又は凹部を塞いでおり、そして、掴み金具の受容時にはその蓋が下方に動かされることによってその切欠き部又は凹部を開けるものであることを特徴とする床付き布枠。
【０１０６】
(4) 開閉可能な蓋は、掴み金具の受容時には掴み金具の下方への動きに追随して下方に動かされることによって、その切欠き部又は凹部を開けるものであることを特徴とする、上記(1)〜(3)のいずれかの床付き布枠。
【０１０７】
(5) 開閉可能な蓋は、掴み金具の受容時には手動により下方に動かされることによって、その切欠き部又は凹部を開けるものであることを特徴とする、上記(1)〜(3)のいずれかの床付き布枠。
【０１０８】
(6) 開閉可能な蓋はストッパーを備えており、掴み金具の受容時にはストッパーを外してから下方に動かされることによって、その切欠き部又は凹部を開けるものであることを特徴とする、上記(1)〜(5)のいずれかの床付き布枠。
【０１０９】
(7) 開閉可能な蓋は回転軸を中心として開閉されることを特徴とする、上記(1)〜(6)のいずれかの床付き布枠。
【０１１０】
(8) 回転軸が梁材の上面レベルよりも下方に設けられていることを特徴とする、上記(7)の床付き布枠。
【０１１１】
(9) 開閉可能な蓋は、通常時にはバネの付勢力によってその切欠き部又は凹部の上面に水平に保持されていることを特徴とする、上記(1)〜(8)のいずれかの床付き布枠。
【０１１２】
(10)開閉可能な蓋は、通常時にはくさび効果のある長孔によってその切欠き部又は凹部の上面に水平に保持されていることを特徴とする、上記(5)〜(8)のいずれかの床付き布枠。
【０１１３】
(11) 開閉可能な蓋は、通常時には凸部又は突起を長孔と嵌合させることによってその切欠き部又は凹部の上面に水平に保持されていることを特徴とする、上記(5)〜(8)のいずれかの床付き布枠。
【０１１４】
(12) 開閉可能な蓋は板バネを介して保持されており、通常時にはその切欠き部又は凹部の上面に水平にその蓋が保持されており、そして、掴み金具の受容時には掴み金具の下方への動きに追随してその蓋が下方に動かされることによって、その切欠き部又は凹部を開けるものであることを特徴とする、上記(4)の床付き布枠。
【０１１５】
(13) 開閉可能な蓋はゴム材からなり、通常時にはその切欠き部又は凹部の上面に水平にその蓋が保持されており、そして、掴み金具の受容時には掴み金具の下方への動きに追随してその蓋が下方に動かされることによって、その切欠き部又は凹部を開けるものであることを特徴とする、上記(4)の床付き布枠。
【０１１６】
(14) 掴み金具を受容可能な１個又は複数個の切欠き部又は凹部を非端部に外向きに有する梁材を両端に備える床付き布枠であって、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が水平方向に動かされることによってその切欠き部又は凹部を開けるものであることを特徴とする床付き布枠。
【０１１７】
(15) 梁材を両端に備える床付き布枠であって、掴み金具を受容可能な１個又は複数個の切欠き部又は凹部を非端部に外向きに有する突出部材が両方の梁材の外側に梁材と平行に接合されていて、その切欠き部又は凹部には開閉可能な蓋が設けられており、通常時にはその切欠き部又は凹部の上面に水平にその蓋が保持されることによってその切欠き部又は凹部を塞いでおり、そして、掴み金具の受容時にはその蓋が水平方向に動かされることによってその切欠き部又は凹部を開けるものであることを特徴とする床付き布枠。
【０１１８】
(3) 梁材を両端に備え、一方の梁材の外側には掴み金具を受容可能な１個又は複数個の切欠き部又は凹部を非端部に外向きに有する突出部材が平行に接合されていて、その切欠き部又は凹部には開閉可能な蓋が設けられており、他方の梁材は掴み金具を受容可能な１個又は複数個の切欠き部又は凹部を非端部に外向きに有していて、その切欠き部又は凹部には開閉可能な蓋が設けられている床付き布枠であって、通常時にはその切欠き部又は凹部の上面に水平にその蓋が保持されることによってその切欠き部又は凹部を塞いでおり、そして、掴み金具の受容時にはその蓋が水平方向に動かされることによってその切欠き部又は凹部を開けるものであることを特徴とする床付き布枠。
【０１１９】
(17) 開閉可能な蓋は、掴み金具の受容時には掴み金具の下方への動きに追随して水平方向に動かされることによって、その切欠き部又は凹部を開けるものであることを特徴とする、上記(14)〜(16)のいずれかの床付き布枠。
【０１２０】
(18) 開閉可能な蓋は、掴み金具の受容時には手動により水平方向に動かされることによって、その切欠き部又は凹部を開けるものであることを特徴とする、上記(14)〜(16)のいずれかの床付き布枠。
【０１２１】
(19) 開閉可能な蓋はストッパーを備えており、掴み金具の受容時にはストッパーを外してから水平方向に動かされることによって、その切欠き部又は凹部を開けるものであることを特徴とする、上記(14)〜(18)のいずれかの床付き布枠。
【０１２２】
(20) 開閉可能な蓋は、通常時にはバネの付勢力によってその切欠き部又は凹部の上面に水平に保持されていることを特徴とする、上記(14)〜(19)のいずれかの床付き布枠。
【０１２３】
(21) 開閉可能な蓋は、通常時にはくさび効果のある長孔によってその切欠き部又は凹部の上面に水平に保持されていることを特徴とする、上記(14)〜(19)のいずれかの床付き布枠。
【０１２４】
(22) 開閉可能な蓋は、通常時にはくびれを有する長孔によってその切欠き部又は凹部の上面に水平に保持されていることを特徴とする、上記(14)〜(19)のいずれかの床付き布枠。
【０１２５】
(23) 上記(1)〜(22)のいずれかの床付き布枠が組み込まれていることを特徴とする枠組足場。
【０１２６】
(24) 上記(23)の枠組足場であって、さらに階段部材が組み込まれていることを特徴とする枠組足場。
【発明の効果】
【０１２７】
本発明によれば、床付き布枠の両端の隙間を少なくするために、床付き布枠の端面を外方向に延長したり、又は、梁材の外側に梁材と平行に突出部材を接合したりした場合であっても、階段部材をどの場所にも組み込むことが可能な床付き布枠と、この床付き布枠を組み込んでなる枠組足場を提供することができる。
【発明を実施するための最良の形態】
【０１２８】
本発明に係る床付き布枠及びこの床付き布枠を組み込んでなる枠組足場を、以下に、図面を用いて説明する。
【０１２９】
なお、前述したとおり、梁材又は突出部材に設ける外向きの切欠き部と凹部は、いずれも同等の効果がある。そして、この開閉可能な蓋は、梁材に外向きの切欠き部又は凹部を設けてなる床付き布枠と、突出部材に外向きの切欠き部又は凹部を設けてなる床付き布枠とを問わず、設置することが可能であり、いずれにも同等の効果がある。したがって、以下の実施例では、主として、「梁材に外向きの凹部を設けてなる床付き布枠」を例に挙げるが、「梁材に外向きの切欠き部を設けてなる床付き布枠」並びに「突出部材に外向きの凹部を設けてなる床付き布枠」及び「突出部材に外向きの切欠き部を設けてなる床付き布枠」もまた、「梁材に外向きの凹部を設けてなる床付き布枠」と同等の効果があることは明らかである。したがって、本発明は次の実施例に限定されるものではない。
【実施例１】
【０１３０】
図２８は、本発明に係る床付き布枠の一例を示したものである。(a)は床付き布枠の全体平面図、(b)は(a)の梁材の端面の中央部の楕円Ａの部分平面図であり、(c)は(b)のＢ−Ｂ矢視断面図、(d)は(b)のＣ−Ｃ矢視断面図、(e)は(b)のＤ部分の拡大図を、それぞれ示す。なお、(f)は(e)のうち、特にコイルバネのみを取り出して示したものである。
【０１３１】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。そして、外向きの凹部４６の上を水平に塞ぐことができる開閉蓋８０が、上側フランジ４１の上面レベルよりも下方に水平に設けられたコイルバネ８３を介して取り付けられている。なお、凹部４６の内周面には、凹部４６を形成したために低下した強度を補強するために、断面コの字形の補強部材４７が接合されている。また、開閉蓋８０には剛性をもたせるために、端部８５が設けられている。さらに、コイルバネ８３の一端を取り付けるためのコイルバネ取付孔８４が補強部材４７に、そして、コイルバネ８３の他端を取り付けるためのコイルバネ取付孔８４が開閉蓋の端部８５に、それぞれ設けられている。
【０１３２】
この開閉蓋８０は上方への回転防止用のストッパー（図示せず）のために上方には開かない構造になっている。そして、通常時には、このコイルバネ８３の左回りの付勢力によって、その凹部の上面レベルに水平に蓋が保持されており、風力では下方に回転することはない。そして、この開閉蓋８０は、階段部材の掴み金具を凹部に受容する必要があるときに、人為的な力をかけることで、コイルバネ８３の付勢力に逆らって、はじめてコイルバネ８３の回転軸８１を中心として右回りに下方に回転して、蓋が開くという構造となっている。したがって、通常時には、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１３３】
開閉蓋８０を開けるための人為的な力としては、作業員による手動の力の外に、階段部材の掴み金具を凹部に受容させるときの掴み金具の下方への動きの力を利用することができる。
【０１３４】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、コイルバネ８３は開閉蓋８０の上面にはないため、コイルバネ８３を傷めることもない。
【０１３５】
図２９は、図２８に示した本発明に係る床付き布枠について、作業員による手動により、開閉蓋８０を開ける作業の手順を示したものである。
【０１３６】
図２９(a)は床付き布枠の掴み金具（図示せず）を建枠の横桟３に引っかけることによって、床付き布枠を枠組足場内に設置した状態であり、ここでは、開閉蓋８０はこのコイルバネ８３の付勢力によって、その凹部の上面レベルに水平に蓋が閉じた状態で保持されている（通常時）。また、開閉蓋８０は開閉蓋の端部８５の右下方において建枠の横桟３の左上方に接しているので、この開閉蓋８０の上を作業員が通行してもその開閉蓋の沈み込みは防止されている。次に、図２９(b)は作業員が手動によって、蓋が閉じた状態の床付き布枠の端部を上方に持ち上げて、手動で開閉蓋８０を回転軸８１を中心として右回りに下方に回転させ蓋を開けたまま、床付き布枠の端部を下方に降ろすことによって、蓋が開いた状態で下方に落とし込んだ状態を示す。ここでは、開閉蓋８０はこのコイルバネ８３の付勢力によって建枠の横桟３の左側方で接した状態で保持されている。そして、図２９(c)はこの床付き布枠を枠組足場内に設置した状態で、上方から階段部材の掴み金具５０を降ろして建枠の横桟３に引っかけた状態を示している。蓋が開いた状態の開閉蓋８０は階段部材の掴み金具５０の下方への動きに追随して、回転軸８１を中心としてさらに右回りに左方に回転するので、階段部材の掴み金具５０を容易に床付き布枠の梁材の突出部の凹部４６に受容することができる。
【実施例２】
【０１３７】
図３０は、図２９に示した床付き布枠の変形例であり、開閉蓋８０の形状を変形してなる床付き布枠を用いて、開閉蓋８０を開ける作業の手順を示したものである。
【０１３８】
開閉蓋８０が建枠の横桟３の上方に接しないように、開閉蓋８０の右下部分を少しカットした床付き布枠を用いて、階段部材の掴み金具５０の下方への動きに追随するだけで、開閉蓋８０を開けることができる作業を示したものである。
【０１３９】
図３０(a)は床付き布枠の掴み金具（図示せず）を建枠の横桟３に引っかけることによって、床付き布枠を枠組足場内に設置した状態であり、ここでは、開閉蓋はこのコイルバネ８３の付勢力によって、その凹部の上面レベルに水平に蓋が閉じた状態で保持されている（通常時）。そして、図３０(b)はこの床付き布枠を枠組足場内に設置した状態で、上方から階段部材の掴み金具５０を降ろして建枠の横桟３に引っかけた状態を示している。上方から階段部材の掴み金具５０を降ろすとき、閉じていた開閉蓋８０が階段部材の掴み金具５０の下方への動きに追随して、回転軸８１を中心として右回りに下方に回転するので、階段部材の掴み金具５０を容易に床付き布枠の梁材の突出部の凹部４６に受容することができる。ここでは、作業員による手動により、開閉蓋８０を開ける作業は不要となる。
【０１４０】
なお、図２９に示す開閉蓋８０では、図２９(b)の工程において、作業員が手動によって、蓋が閉じた状態の床付き布枠の端部を上方に持ち上げて、手動で開閉蓋８０を右回りに下方に回転させ蓋を開けたまま、床付き布枠の端部を下方に降ろすことによって、蓋が開いた状態で下方に落とし込んでいた。これに対して、図３０に示す開閉蓋８０では、その形状の違いから、作業員が手動によって床付き布枠の端部を下方に降ろすという工程が不要となったことが分かる。
【実施例３】
【０１４１】
図３１は、本発明に係る床付き布枠の他の例を示したものである。(a)は床付き布枠の全体平面図、(b)は(a)の梁材の端面の中央部の楕円Ａの部分平面図であり、(c)はその正面図、(d)は(b)のＥ−Ｅ矢視断面図（背景は図示せず）、(e)は(b)のＦ−Ｆ矢視断面図（背景は図示せず）を、それぞれ示す。
【０１４２】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０１４３】
外向きの凹部４６の上には、凹部４６の上の全体を水平に塞ぐことができる開閉蓋８０が設置されているが、開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０１４４】
この開閉蓋８０は、通常時には、引きバネ８７の付勢力によって、梁材の凹部の上面レベルに水平に蓋が保持されている。そして、この開閉蓋８０は、階段部材の掴み金具を凹部に受容する必要があるときに、引きバネ８７を作業員の手作業によって伸ばすとともに開閉蓋８０を回転軸８１の回りに左へ回転した後、長孔８８に沿って下方に移動させることで、開閉蓋８０を開ける構造となっている。したがって、通常時には、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１４５】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９及び引きバネ８７は、開閉蓋８０の上面にはないため、リベット８９及び引きバネ８７を傷めることもない。
【０１４６】
図３２及び図３３は、図３１に示した本発明に係る床付き布枠について、作業員による手動により、開閉蓋８０を開ける作業の手順を示したものである。図３２が図３１(a)のＥ−Ｅ矢視断面図（背景は図示せず）、そして、図３３が図３１(a)のＦ−Ｆ矢視断面図（背景は図示せず）を、それぞれ示す。
【０１４７】
図３２(a)及び図３３(a)は、床付き布枠の掴み金具（図示せず）を建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、引きバネ８７の付勢力のために、梁材の凹部の上面レベルに水平に保持されている（通常時）。この開閉蓋８０は作業員による人為的な力を加えなければ水平に保持されているので、開閉蓋８０の上を作業員が通行しても移動することはない。なお、図示したように、開閉蓋８０は作業員の手作業によって左回りに回転可能である。
【０１４８】
次に、図３２(b)及び図３３(b)は、作業員の手作業によって引きバネ８７の付勢力に反して、開閉蓋８０を回転軸８１の回りに左へ回転した後、開閉蓋８０が引きバネ８７の付勢力によって長孔８８に沿って下方に移動する途中の状態を示している。
【０１４９】
そして、図３２(c)及び図３３(c)は、開閉蓋８０が引きバネ８７の付勢力によって長孔８８に沿って下方に移動した後の状態を示している。
【０１５０】
この結果、開閉蓋８０が開かれているので、階段部材の掴み金具を梁材の凹部に受容することが可能となる。
【実施例４】
【０１５１】
図３４は、本発明に係る床付き布枠の他の例を示したものである。(a)は床付き布枠の梁材の端面の中央部の部分平面図であり、(b)はその正面図、(c)は(a)のＥ−Ｅ矢視断面図（背景は図示せず）、(d)は(a)のＦ−Ｆ矢視断面図（背景は図示せず）を、それぞれ示す。
【０１５２】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０１５３】
外向きの凹部４６の上には、凹部４６の上の全体を水平に塞ぐことができる開閉蓋８０が設置されているが、開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０１５４】
この開閉蓋８０は、通常時には、引きバネ８７の付勢力によって、梁材の凹部の上面レベルに水平に蓋が保持されている。そして、この開閉蓋８０は、階段部材の掴み金具を凹部に受容する必要があるときに、引きバネ８７を作業員の手作業によって上方に伸ばすとともに開閉蓋８０を長孔８８に沿って上方に一旦引き上げた後、開閉蓋８０を回転軸８１の回りに右に回転することによって開閉蓋８０を開ける構造となっている。したがって、通常時には、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１５５】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９及び引きバネ８７は、開閉蓋８０の上面にはないため、リベット８９及び引きバネ８７を傷めることもない。
【０１５６】
図３５及び図３６は、図３４に示した本発明に係る床付き布枠について、作業員による手動により、開閉蓋８０を開ける作業の手順を示したものである。図３５が図３４(a)のＥ−Ｅ矢視断面図（背景は図示せず）、そして図３６が図３４(a)のＦ−Ｆ矢視断面図（背景は図示せず）を、それぞれ示す。
【０１５７】
図３５(a)及び図３６(a)は、床付き布枠の掴み金具（図示せず）を建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、引きバネ８７の付勢力のために、梁材の凹部の上面レベルに水平に保持されている（通常時）。この開閉蓋８０は作業員による人為的な力を加えなければ水平に保持されているので、開閉蓋８０の上を作業員が通行しても移動することはない。なお、図示したように、開閉蓋８０は作業員の手作業によって上方に移動可能である。
【０１５８】
次に、図３５(b)及び図３６(b)は、作業員の手作業によって引きバネ８７の付勢力に反して、開閉蓋８０を長孔８８に沿って上方に一旦引き上げた後、回転軸８１の回りに右へ回転する途中の状態を示している。
【０１５９】
そして、図３５(c)及び図３６(c)は、開閉蓋８０が引きバネ８７の付勢力によって回転軸８１の回りに右へ回転した後の状態を示している。
【０１６０】
この結果、開閉蓋８０が開かれているので、階段部材の掴み金具を梁材の凹部に受容することが可能となる。
【実施例５】
【０１６１】
図３７は、本発明に係る床付き布枠の他の例を示したものである。(a)は床付き布枠の梁材の端面の中央部の部分平面図であり、(b)はその正面図、(c)は(a)のＥ−Ｅ矢視断面図（背景は図示せず）、(d)は(a)のＦ−Ｆ矢視断面図（背景は図示せず）を、それぞれ示す。
【０１６２】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。そして、凹部４６の内周面には、凹部４６を形成したために低下した強度を補強するために、断面コの字形の補強部材４７が接合されている。
【０１６３】
外向きの凹部４６の上には、凹部４６の上の全体を水平に塞ぐことができる開閉蓋８０が設置されているが、開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０１６４】
この開閉蓋８０は、開閉蓋８０の上面を作業員がハンマーで叩くか又は力を入れて動かすことで、凸部９０を梁材の上面より下方に押し込み、クサビ効果を効かすことができる。したがって、開閉蓋８０を閉めた状態のときには、凸部９０のクサビ効果によって、開閉蓋８０が梁材の凹部の上面レベルに水平に固定されている。そして、この開閉蓋８０は、階段部材の掴み金具を凹部に受容する必要があるときに、開閉蓋８０の下面を作業員がハンマーで叩くか又は力を入れて動かすことで、凸部９０を梁材の上面よりも上方に押し出し、凸部９０のクサビ効果を外すことができる。そして、作業員の手作業によって開閉蓋８０を長孔８８に沿って上方に一旦引き上げた後、開閉蓋８０を回転軸８１の回りに右に回転することによって開閉蓋８０を開ける構造となっている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１６５】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９は、開閉蓋８０の上面にはないため、リベット８９を傷めることもない。
【０１６６】
図３８及び図３９は、図３７に示した本発明に係る床付き布枠について、作業員による手動により、開閉蓋８０を開ける作業の手順を示したものである。図３８は図３７(a)のＥ−Ｅ矢視断面図（背景は図示せず）、そして、図３９が図３７(a)のＦ−Ｆ矢視断面図（背景は図示せず）を示す。
【０１６７】
図３８(a)及び図３９(a)は、開閉蓋８０の上面を作業員がハンマーで叩いてクサビ効果のある凸部９０を梁材の上面より下方に押し込まれることによって開閉蓋８０が梁材の凹部の上面レベルに水平に固定されている床付き布枠の掴み金具（図示せず）を、建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、クサビ効果によって、梁材の凹部の上面レベルに水平に固定されている（通常時）。この開閉蓋８０は作業員による人為的な力を加えなければ水平に固定されているので、開閉蓋８０の上を作業員が通行しても移動することはない。なお、図示したように、開閉蓋８０はクサビ効果を外すことによって上方に移動可能である。
【０１６８】
次に、図３８(b)及び図３９(b)は、開閉蓋８０の下面を作業員がハンマーで叩くか又は力を入れて動かすことで、凸部９０を梁材の上面よりも上方に押し出すことによって、クサビ効果を外し、そして、作業員が手作業により開閉蓋８０を長孔８８に沿って上方に一旦引き上げた後、開閉蓋８０を回転軸８１の回りに右に回転する途中の状態を示している。
【０１６９】
そして、図３８(c)及び図３９(c)は、作業員が手作業により、開閉蓋８０を回転軸８１の回りに右へ回転した後の状態を示している。
【０１７０】
この結果、開閉蓋８０が開かれているので、階段部材の掴み金具を梁材の凹部に受容することが可能となる。
【実施例６】
【０１７１】
図４０は、本発明に係る床付き布枠の他の例を示したものである。(a)は床付き布枠の梁材の端面の中央部の部分平面図であり、(b)はその正面図、(c)は(a)のＥ−Ｅ矢視断面図（背景は図示せず）、(d)は(a)のＦ−Ｆ矢視断面図（背景は図示せず）を、それぞれ示す。
【０１７２】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。そして、凹部４６の内周面には、凹部４６を形成したために低下した強度を補強するために、断面コの字形の補強部材４７が接合されている。
【０１７３】
外向きの凹部４６の上には、凹部４６の上の全体を水平に塞ぐことができる開閉蓋８０が設置されているが、開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０１７４】
この開閉蓋８０は、開閉蓋８０の上面を作業員がハンマーで叩くか又は力を入れて動かすことで、突起９１を梁材の上面より下方に押し込み、クサビ効果を効かすことができる。したがって、開閉蓋８０を閉めた状態のときには、突起９１のクサビ効果によって、開閉蓋８０が梁材の凹部の上面レベルに水平に固定されている。そして、この開閉蓋８０は、階段部材の掴み金具を凹部に受容する必要があるときに、開閉蓋８０の下面を作業員がハンマーで叩くか又は力を入れて動かすことで、突起９１を梁材の上面よりも上方に押し出し、突起９１のクサビ効果を外すことができる。そして、作業員の手作業によって開閉蓋８０を長孔８８に沿って上方に一旦引き上げた後、開閉蓋８０を回転軸８１の回りに右に回転することによって開閉蓋８０を開ける構造となっている。したがって、開閉蓋８０を閉めた状態のときには、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１７５】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９は、開閉蓋８０の上面にはないため、リベット８９を傷めることもない。
【０１７６】
図４１及び図４２は、図４０に示した本発明に係る床付き布枠について、作業員による手動により、開閉蓋８０を開ける作業の手順を示したものである。図４１は図４０(a)のＥ−Ｅ矢視断面図（背景は図示せず）、そして、図４２が図４０(a)のＦ−Ｆ矢視断面図（背景は図示せず）を示す。
【０１７７】
図４１(a)及び図４２(a)は、開閉蓋８０の上面を作業員がハンマーで叩くか又は力を入れて動かすことで、突起９１を梁材の上面より下方に押し込まれた状態にあるので、突起９１のクサビ効果によって、開閉蓋８０が梁材の凹部の上面レベルに水平に固定されている。そして、床付き布枠の掴み金具（図示せず）を、建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されている。この開閉蓋８０は作業員による人為的な力を加えなければ水平に固定されているので、開閉蓋８０の上を作業員が通行しても移動することはない。なお、図示したように、開閉蓋８０は突起９１のクサビ効果を外すことによって上方に移動可能である。
【０１７８】
次に、図４１図(b)及び図４２(b)は、開閉蓋８０の下面を作業員がハンマーで叩くか又は力を入れて動かすことで、突起９１を梁材の上面よりも上方に押し出すことによって、クサビ効果を外し、そして、作業員が手作業により開閉蓋８０を長孔８８に沿って上方に一旦引き上げた後、開閉蓋８０を回転軸８１の回りに右に回転する途中の状態を示している。
【０１７９】
そして、図４１図(c)及び図４２(c)は、作業員が手作業により、開閉蓋８０を回転軸８１の回りに右へ回転した後の状態を示している。
【０１８０】
この結果、開閉蓋８０が開かれているので、階段部材の掴み金具を梁材の凹部に受容することが可能となる。
【実施例７】
【０１８１】
図４３は、本発明に係る床付き布枠の他の例を示したものである。(a)は床付き布枠の梁材の端面の中央部の部分平面図であり、(b)はその正面図、(c)は(a)のＡ−Ａ矢視断面図（背景は図示せず）、(d)は(a)のＢ−Ｂ矢視断面図（背景は図示せず）、(e)は(a)のＣ−Ｃ矢視断面図、(f)は(e)のＤ−Ｄ矢視断面図（拡大図）、(g)は(e)のＥ−Ｅ矢視断面図（拡大図）を、それぞれ示す。
【０１８２】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。この梁材の突出部の凹部４６の内周面には、凹部４６を形成したために低下した強度を補強するために、断面コの字形の補強部材４７が接合されている。
【０１８３】
そして、外向きの凹部４６の上には、凹部４６の上の全体を水平に塞ぐことができる開閉蓋８０が設置されている。開閉蓋８０には剛性をもたせるために、端部８５と縁部８６がそれぞれ設けられている。開閉蓋の端部８５には長孔８８が設けられ、この長孔８８の中を移動自在のリベット８９が補強部材４７と開閉蓋８０の端部８５を連結しており、開閉蓋８０はリベット８９の中心に位置する回転軸８１の回りに回転することができる。
【０１８４】
また、突出部の凹部４６の内周面に接合された断面コの字形の補強部材４７の両端部には凸部（突起）４９が形成されていて、通常時には、開閉蓋８０の端部８５に設けられた長孔８８に嵌合しているので、風力などでは凸部（突起）４９が端部８５に設けられた長孔８８から外れることはなく、開閉蓋８０は梁材の外向きの凹部４６の上面レベルに水平に保持されている。
【０１８５】
そして、この開閉蓋８０は、階段部材の掴み金具を凹部４６に受容する必要があるときに、断面コの字形の補強部材４７の両端部に形成された凸部（突起）４９を、作業員の手作業によって開閉蓋８０の端部８５に設けられた長孔８８から外すともに開閉蓋８０を回転軸８１の回りに左へ回転した後、長孔８８に沿って下方に移動させることで、開閉蓋８０を開ける構造となっている。したがって、通常時には、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１８６】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、補強部材４７と開閉蓋８０の端部８５を連結するリベット８９は、開閉蓋８０の上面にはないため、リベット８９を傷めることもない。
【０１８７】
図４４及び図４５は、図４３に示した本発明に係る床付き布枠について、作業員による手動により、開閉蓋８０を開ける作業の手順を示したものである。図４４が図４３(a)のＡ−Ａ矢視断面図（背景は図示せず）、そして、図４５が図４３(a)のＢ−Ｂ矢視断面図（背景は図示せず）を、それぞれ示す。
【０１８８】
図４４(a)及び図４５(a)は、床付き布枠の掴み金具（図示せず）を建枠の横桟３に引っかけることによって、床付き布枠を枠組足場内に設置した状態である。ここでは、この開閉蓋８０は、開閉蓋の端部８５に設けられた長孔８８の中を移動自在のリベット８９によって、リベット８９の中心に位置する回転軸８１の回りに回転自在に補強部材４７と連結されているが、この開閉蓋８０は、断面コの字形の補強部材４７の両端部に形成された凸部（突起）４９が開閉蓋８０の端部８５に設けられた長孔８８に嵌合しているために、梁材の凹部の上面レベルに水平に保持されている（通常時）。この開閉蓋８０は作業員による人為的な力を加えなければ水平に保持されているので、開閉蓋８０の上を作業員が通行しても移動することはない。なお、図示したように、開閉蓋８０は作業員の手作業によって嵌合を外せば、左回りに回転可能である。
【０１８９】
次に、図４４(b)及び図４５(b)は、作業員の手作業によって、凸部（突起）４９と長孔８８の嵌合を外すともに開閉蓋８０を回転軸８１の回りに左へ回転した後、長孔８８に沿って下方に移動する途中の状態を示している。
【０１９０】
そして、図４４(c)及び図４５(c)は、開閉蓋８０が長孔８８に沿って下方に移動した後の状態を示している。
【０１９１】
この結果、開閉蓋８０が開かれているので、階段部材の掴み金具を梁材の凹部に受容することが可能となる。
【実施例８】
【０１９２】
図４６は、本発明に係る床付き布枠の他の例を示したものである。(a)は床付き布枠の梁材の端面の中央部の部分平面図であり、(b)は(a)のＫ−Ｋ矢視断面図を示す。
【０１９３】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０１９４】
外向きの凹部４６の上には、凹部４６の上の全体を水平に塞ぐことができる開閉蓋８０が設置されているが、開閉蓋８０には剛性をもたせるために、端部８５が設けられている。補強部材４７の左右の両端と開閉蓋の左右の端部８５を連結するために、長尺のボルト９６とナット９７が設けられ、開閉蓋８０が長尺のボルト９６の中心に位置する回転軸８１の回りに下方に回転できるように取り付けられている。ただし、長尺のボルト９６には開閉蓋８０の下方への回転防止用ストッパー９２と押しバネ９４が、開閉蓋の左右の端部８５の間に取り付けられており、通常時は押しバネ９４の付勢力により下方への回転防止用ストッパー９２は左側の端部８５に押しつけられているため、開閉蓋８０は回転軸８１の回りに下方への回転が防止され、梁材の凹部の上面レベルに水平に蓋が保持されている。したがって、通常時には、梁材の凹部の上に設置された開閉蓋８０が風にあおられても、上方にも下方にも回転することはなく、したがって、開閉蓋８０が不意に持ち上がることはないので、作業員が開閉蓋８０につまずいて転倒するおそれもない。
【０１９５】
この開閉蓋８０には切り込み９３が２箇所に設けられており、その切り込みの間隔は開閉蓋８０の下方への回転防止用ストッパー９２の長さに等しい。そして、階段部材の掴み金具を凹部に受容する必要があるときに、作業員が押しバネ９４の付勢力に抗して下方への回転防止用ストッパー９２を右方に移動させた後、下方への回転防止用ストッパー９２を切り込み９３に合わせて、ストッパー９２を外すことによって、開閉蓋８０を回転軸８１の回りに下方に回転することによって開閉蓋８０を開ける構造となっている。
【０１９６】
なお、ここでは、開閉蓋８０の回転軸８１は、梁材の上面のレベルより下方に設けてあるため、作業中にコンクリートやペンキ等が付着することはない。また枠組足場を解体後に、「ケレン機」という機械を用いて床付き布枠の上面に付着したコンクリートやペンキ等を除去する作業をしても、長尺のボルト９６とナット９７、そして、開閉蓋８０の下方への回転防止用ストッパー９２と押しバネ９４は開閉蓋８０の上面にはないため、長尺のボルト９６とナット９７、そして、開閉蓋８０の下方への回転防止用ストッパー９２と押しバネ９４を傷めることもない。
【０１９７】
図４７は、図４６に示した本発明に係る床付き布枠について、作業員による手動により、開閉蓋８０を開けた後の状態を示したものである。(a)は床付き布枠の梁材の端面の中央部の部分平面図であり、(b)は(a)のＫ−Ｋ矢視断面図を示す。
【０１９８】
上述したとおり、この開閉蓋８０には切り込み９３が２箇所に設けられており、その切り込みの間隔は開閉蓋８０の下方への回転防止用ストッパー９２の長さに等しいため、階段部材の掴み金具を凹部に受容する必要があるときに、作業員が押しバネ９４の付勢力に抗して下方への回転防止用ストッパー９２を右方に移動させた後、下方への回転防止用ストッパー９２を切り込み９３に合わせて、ストッパー９２を外すことによって、開閉蓋８０を回転軸８１の回りに下方に回転することによって開閉蓋８０を開ける構造となっている。
【０１９９】
このように、下方への回転防止用ストッパー９２が設置されているため、階段部材の掴み金具を梁材の凹部に受容するときのみ、開閉蓋８０を開くようにすることができる。
【実施例９】
【０２００】
図４８は、本発明に係る床付き布枠の他の例を示したものである。いずれも床付き布枠の梁材の端面の中央部の断面図であり、(a)は通常時を示し、そして、(b)は階段部材の掴み金具５０を建枠の横桟３に引っかけた状態を示している（いずれも背景は図示せず）。
【０２０１】
図４８(a)に示すように、床付き布枠の梁材は、突出部（図示せず）を有する上側フランジ４１と、下側フランジ４２と、上部を外側に傾斜させてなるウェブ（図示せず）からなり、断面は倒立台形状となっている。梁材の中央部には外向きに凹部（図示せず）が設けられている。そして、外向きの凹部の上を水平に塞ぐことができる開閉蓋８０が、梁材の上側フランジの延長部材４８に設けられたボルト９６及びナット９７並びに梁材の上側フランジの延長部材４８と開閉蓋８０の下部に接合された板バネ９５を介して、上側フランジ４１と同一レベルに取り付けられている。なお、凹部の内周面には断面コの字形の補強部材４７が接合されている。また、開閉蓋８０には剛性をもたせるために、縁部８６が設けられている。
【０２０２】
この開閉蓋８０は、通常時には、板バネ９５の付勢力によって、開閉蓋８０の重力に抗して、上側フランジ４１と同一レベルに水平に蓋が保持されている。なお、開閉蓋８０は風力で上方又は下方に煽られたとしても、板バネ９５の付勢力によって、上側フランジ４１と同一レベルに戻って、水平に蓋が保持される。そして、この開閉蓋８０は、階段部材の掴み金具を凹部に受容する必要があるときに、人為的な力をかけることで、板バネ９５の付勢力に逆らって、はじめて板バネ９５の回転軸８１を中心として右回りに下方に回転して、蓋が開くという構造となっている。
【０２０３】
開閉蓋８０を開けるための人為的な力としては、作業員による手動の力の外に、階段部材の掴み金具を凹部に受容させるときの掴み金具の下方への動きの力を利用することができる。
【０２０４】
なお、ここでは、開閉蓋８０の回転軸８１は板バネ９５にあるため、作業中にコンクリートやペンキ等が付着しても、回転するのに支障はないため、蓋を開けることができる。また、枠組足場を解体後に、「ケレン機」という機械を用いて床付き布枠の上面に付着したコンクリートやペンキ等を除去する作業をしても、板バネ９５は開閉蓋８０の下面にあるため、板バネ９５を傷めることもない。
【０２０５】
図４８(b)は、この床付き布枠を枠組足場内に設置した状態で、上方から階段部材の掴み金具５０を降ろして建枠の横桟３に引っかけた状態を示している。上方から階段部材の掴み金具５０を降ろすとき、閉じていた開閉蓋８０が階段部材の掴み金具５０の下方への動きに追随して、回転軸８１を中心として右回りに下方に回転するので、階段部材の掴み金具５０を容易に床付き布枠の梁材の突出部の凹部に受容することができる。ここでは、作業員による手動により、開閉蓋８０を開ける作業は不要となる。
【実施例１０】
【０２０６】
図４９は、本発明に係る床付き布枠の他の例を示したものである。いずれも床付き布枠の梁材の端面の中央部の断面図であり、(a)は通常時を示し、そして、(b)は階段部材の掴み金具５０を建枠の横桟３に引っかけた状態を示している（いずれも背景は図示せず）。
【０２０７】
図４９(a)に示すように、床付き布枠の梁材は、突出部（図示せず）を有する上側フランジ４１と、下側フランジ４２と、上部を外側に傾斜させてなるウェブ（図示せず）からなり、断面は倒立台形状となっている。梁材の中央部には外向きに凹部（図示せず）が設けられている。そして、外向きの凹部の上を水平に塞ぐことができるゴム材９８からなる開閉蓋８０が、梁材の上側フランジの延長部材４８に設けられたボルト９６及びナット９７を介して、上側フランジ４１と同一レベルに取り付けられている。なお、凹部の内周面には断面コの字形の補強部材４７が接合されている。また、ゴム材９８からなる開閉蓋８０には剛性をもたせるために、縁部８６が設けられている。
【０２０８】
このゴム材９８からなる開閉蓋８０の上面は、通常時には、ゴム材９８の付勢力によって、ゴム材９８からなる開閉蓋８０の重力に抗して、上側フランジ４１と同一レベルに水平に蓋が保持されている。なお、開閉蓋８０は風力で上方又は下方に煽られたとしても、ゴム材９８の付勢力によって、上側フランジ４１と同一レベルに戻って、水平に蓋が保持される。そして、このゴム材９８からなる開閉蓋８０は、階段部材の掴み金具を凹部に受容する必要があるときに、人為的な力をかけることで、ゴム材９８の付勢力に逆らって、はじめてゴム材９８からなる開閉蓋８０の回転軸８１を中心として右回りに下方に回転して、蓋が開くという構造となっている。
【０２０９】
ゴム材９８からなる開閉蓋８０を開けるための人為的な力としては、作業員による手動の力の外に、階段部材の掴み金具を凹部に受容させるときの掴み金具の下方への動きの力を利用することができる。
【０２１０】
なお、ここでは、ゴム材９８からなる開閉蓋８０の回転軸８１はゴム材９８にあるため、作業中にコンクリートやペンキ等が付着しても、回転するのに支障はないため、蓋を開けることができる。また、枠組足場を解体後に、「ケレン機」という機械を用いて床付き布枠の上面に付着したコンクリートやペンキ等を除去する作業をしても、ゴム材９８を傷めることもない。
【０２１１】
図４９(b)は、この床付き布枠を枠組足場内に設置した状態で、上方から階段部材の掴み金具５０を降ろして建枠の横桟３に引っかけた状態を示している。上方から階段部材の掴み金具５０を降ろすとき、閉じていたゴム材９８からなる開閉蓋８０が階段部材の掴み金具５０の下方への動きに追随して、回転軸８１を中心として右回りに下方に回転するので、階段部材の掴み金具５０を容易に床付き布枠の梁材の突出部の凹部に受容することができる。ここでは、作業員による手動により、ゴム材９８からなる開閉蓋８０を開ける作業は不要となる。
【実施例１１】
【０２１２】
図５０は、本発明に係る床付き布枠の他の例を示したものである。(a)は床付き布枠の梁材の端面の中央部の部分平面図であり、(b)はその正面図、(c)は(a)のＩ−Ｉ矢視断面図を、それぞれ示す。
【０２１３】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２１４】
外向きの凹部４６の上には、凹部４６の上の全体を水平に塞ぐことができる開閉蓋８０が設置されているが、開閉蓋８０には剛性をもたせるために、縁部８６が設けられている。また、開閉蓋８０には端部８５が設けられており、補強部材４７の端部には水平方向に長孔８８が設けられている。そして、この補強部材４７の端部に設けられた長孔８８を介して、リベット８９が開閉蓋８０の端部８５に取り付けられていて、リベット８９はこの長孔８８の中を移動自在であるから、開閉蓋８０は長孔８８に沿って左右に移動できる。
【０２１５】
この開閉蓋８０は、通常時には、梁材の凹部の上面の最右方に水平状態に蓋が保持されている。そして、この開閉蓋８０は、階段部材の掴み金具を凹部に受容する必要があるときに、人為的な力をかけることで、開閉蓋８０を長孔８８に沿って左方に移動させ、開閉蓋８０を開ける構造となっている。このように、開閉蓋８０は左右の水平方向のみに移動できる構造となっているから、梁材の凹部の上に設置された開閉蓋８０は風にあおられても、開閉蓋８０が不意に持ち上がることはない。
【０２１６】
開閉蓋８０を開けるための人為的な力としては、作業員による手動の力の外に、階段部材の掴み金具を凹部に受容させるときの掴み金具の下方への動きの力を利用することができる。
【０２１７】
図５１は、図５０に示した本発明に係る床付き布枠について、人為的な力をかけて、開閉蓋８０を開ける作業の手順を示したものである。図５０(a)のＩ−Ｉ矢視断面図を示す。
【０２１８】
図５１(a)は、床付き布枠の掴み金具（図示せず）を建枠の横桟３に引っかけることによって、床付き布枠を枠組足場内に設置した状態である（通常時）。ここでは、この開閉蓋８０は、梁材の凹部の上面の最右方に水平に蓋が保持されているので、開閉蓋８０は梁材の外向きの凹部４６の上の全体を水平に塞いでいる。
【０２１９】
次に、図５１(b)は、人為的な力を加えることによって開閉蓋８０を長孔８８に沿って左方へ水平に移動させ、開閉蓋８０を開けた状態を示している。人為的な力として、作業員の手作業によった場合には、手作業によって開閉蓋８０を開いた後に、階段部材の掴み金具を梁材の凹部に受容することが可能となる。
【０２２０】
ただし、人為的な力として、上方から階段部材の掴み金具（図示せず）を下方に降ろして、建枠の横桟に引っかけるときの力を利用することもできる。すなわち、階段部材の掴み金具５０の下方への動きに追随して、閉じていた開閉蓋８０が左方に移動し、開閉蓋８０が開くから、階段部材の掴み金具５０を容易に床付き布枠の梁材の突出部の凹部４６に受容することができる。このとき、作業員による手作業により開閉蓋８０を開ける作業は不要となる。
【実施例１２】
【０２２１】
図５２は、本発明に係る床付き布枠の他の例であって、図５０に示した床付き布枠の変形例である。(a)は床付き布枠の梁材の端面の中央部の部分平面図であり、(b)はその正面図、(c)は(a)のＩ−Ｉ矢視断面図を、それぞれ示す。
【０２２２】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２２３】
外向きの凹部４６の上には、凹部４６の上の全体を水平に塞ぐことができる開閉蓋８０が設置されているが、開閉蓋８０には剛性をもたせるために、縁部８６が設けられている。また、開閉蓋８０には端部８５が設けられており、補強部材４７の端部にはクサビ効果のある長孔９９が左上方から右下方にかけて傾斜して設けられている。そして、この補強部材４７の端部に設けられた長孔９９を介して、リベット８９が開閉蓋８０の端部８５に取り付けられていて、リベット８９はこの長孔９９の中を移動自在であるから、開閉蓋８０は長孔９９に沿って左右に移動できる。
【０２２４】
この開閉蓋８０は、通常時には、クサビ効果のある長孔９９によって梁材の凹部の上面の最右方に水平状態に蓋が固定されているので、開閉蓋８０は梁材の外向きの凹部４６の上の全体を水平に塞いでいる。これは、作業員が開閉蓋８０の縁部８６を右方へハンマーで叩くか又は力を入れて動かすことによって、長孔９９の最右方にリベット８９を移動させたものである。
【０２２５】
そして、この開閉蓋８０は、階段部材の掴み金具を凹部に受容する必要があるときに、作業員が開閉蓋８０の縁部８６を左方へハンマーで叩くか又は力を入れて動かすことによって、クサビ効果を外した後に、人為的な力を加えることによって開閉蓋８０を長孔９９に沿って左方へ移動させ、開閉蓋８０を開ける構造となっている。このように、開閉蓋８０は左右の水平方向のみに移動できる構造となっているから、梁材の凹部の上に設置された開閉蓋８０は風にあおられても、開閉蓋８０が不意に持ち上がることはない。
【０２２６】
図５３は、図５２に示した本発明に係る床付き布枠について、開閉蓋８０を開ける作業の手順を示したものである。
【０２２７】
図５３(a)は、床付き布枠の掴み金具（図示せず）を建枠の横桟３に引っかけることによって、床付き布枠を枠組足場内に設置した状態である（通常時）。この開閉蓋８０は、クサビ効果のある長孔９９によって梁材の凹部の上面の最右方に水平状態に蓋が固定されているので、開閉蓋８０は梁材の外向きの凹部４６の上の全体を水平に塞いでいる。
【０２２８】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられ、そして、凹部４６の内周面には、凹部４６を形成したために低下した強度を補強するために、断面コの字形の補強部材４７が接合されている点は、図５０と同じである。また、外向きの凹部４６の上には、凹部４６の上の全体を水平に塞ぐことができる開閉蓋８０が設置されていて、開閉蓋８０には端部８５と縁部８６が設けられている点も、図５０と同じである。
【０２２９】
しかしながら、補強部材４７の端部に設けられている長孔は、水平方向ではなく、図５３に示したとおりに傾斜しているので、クサビ効果のある長孔９９である。そして、この補強部材４７の端部に設けられた長孔９９を介して、リベット８９が開閉蓋８０の端部８５に取り付けられていて、リベット８９はこの長孔８８の中を移動自在であるから、開閉蓋８０は長孔９９に沿って左右に移動できるが、開閉蓋８０を最右方に移動させる際には開閉蓋８０の端部８６を作業員が右方へハンマーで叩くか又は力を入れて動かすことによって、長孔９９の最右方にリベット８９を移動させたので、開閉蓋８０は梁材の凹部の上面の最右方に水平状態に蓋が固定された状態である。
【０２３０】
次に、図５３(b)は、開閉蓋８０の縁部８６を作業員が左方へハンマーで叩くか又は力を入れて動かすことによって、クサビ効果を外した後に、人為的な力を加えることによって開閉蓋８０を長孔９９に沿って左方へ移動させ、開閉蓋８０を開けた状態を示している。このように、作業員の手作業によって開閉蓋８０を開いた後に、階段部材の掴み金具を梁材の凹部に受容することが可能となる。
【０２３１】
ただし、開閉蓋８０の縁部８６を作業員が左方へハンマーで叩くか又は力を入れて動かすことによって、クサビ効果を外した後であれば、特に作業員による手作業を要することなく、上方から階段部材の掴み金具（図示せず）を下方に降ろして、建枠の横桟に引っかけるときの力を利用することもできる。すなわち、階段部材の掴み金具（図示せず）の下方への動きに追随して開閉蓋８０が左方に移動すると開閉蓋８０が開くから、階段部材の掴み金具を容易に床付き布枠の梁材の突出部の凹部４６に受容することができる。このとき、作業員による手作業により開閉蓋８０を開ける作業は不要となる。
【実施例１３】
【０２３２】
図５４は、本発明に係る床付き布枠の他の例であって、図５０に示した床付き布枠の変形例である。(a)は床付き布枠の梁材の端面の中央部の部分平面図であり、(b)はその正面図、(c)は(a)のＩ−Ｉ矢視断面図を、それぞれ示す。
【０２３３】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられ、そして、凹部４６の内周面には、凹部４６を形成したために低下した強度を補強するために、断面コの字形の補強部材４７が接合されている点は、図５０と同じである。また、外向きの凹部４６の上には、凹部４６の上の全体を水平に塞ぐことができる開閉蓋８０が設置されていて、開閉蓋８０には端部８５と縁部８６が設けられている点も、図５０と同じである。
【０２３４】
しかしながら、補強部材４７の端部に設けられている水平方向の長孔１００は、長孔内にくびれを２個所有している。リベット８９が開閉蓋８０の端部８５に取り付けられていて、長孔内にくびれがなければ、リベット８９は長孔１００の中を左右に移動することができる。しかしながら、長孔内の右方にくびれが設けられているので、開閉蓋８０がこの長孔１００に沿って自発的に左方に移動しても、リベット８９が長孔内の右方のくびれにぶつかって止まるから、開閉蓋８０は梁材の凹部の上面の最右方に水平状態に蓋が保持されたままとなる。
【０２３５】
図５５は、図５４に示した本発明に係る床付き布枠について、開閉蓋８０を開ける作業の手順を示したものである。図５２(a)のＩ−Ｉ矢視断面図を示す。
【０２３６】
図５５(a)は、床付き布枠の掴み金具（図示せず）を建枠の横桟３に引っかけることによって、床付き布枠を枠組足場内に設置した状態である（通常時）。この開閉蓋８０は、長孔１００の中の右方のくびれによって梁材の凹部の上面の最右方に水平状態に蓋が保持されているので、開閉蓋８０は梁材の外向きの凹部４６の上の全体を水平に塞いでいる。
【０２３７】
次に、図５５(b)は、開閉蓋８０に人為的な力を左方向に二度加えることによって、開閉蓋８０をくびれを２個有する長孔１００に沿って左方へ移動させ、開閉蓋８０を開けた状態を示している。したがって、階段部材の掴み金具を梁材の凹部に受容することが可能となる。ここでは、長孔内の左方にもくびれが設けられているので、開閉蓋８０に人為的な力を左方向に一度加えるだけでは、リベット８９が左方のくびれにぶつかって止まるから、開閉蓋８０をこの長孔１００に沿って最左方に移動させることはできない。したがって、開閉蓋８０をこの長孔１００に沿って最左方に移動するためには、開閉蓋８０にもう一度人為的な力を左方向に加える必要があるのである。人為的な力としては、ハンマーで開閉蓋８０の縁部８６を作業員が左方へハンマーで叩くことでもよいが、単に作業員が力を込めて開閉蓋８０を左方に移動させるだけでもよい。
【実施例１４】
【０２３８】
図５６は、本発明に係る床付き布枠の他の例であって、図５０に示した床付き布枠の変形例である。(a)は床付き布枠の梁材の端面の中央部の部分平面図であり、(b)はその正面図、(c)は(a)のＩ−Ｉ矢視断面図を、それぞれ示す。
【０２３９】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられ、そして、凹部４６の内周面には、凹部４６を形成したために低下した強度を補強するために、断面コの字形の補強部材４７が接合されている点は、図５０と同じである。また、外向きの凹部４６の上には、凹部４６の上の全体を水平に塞ぐことができる開閉蓋８０が設置されていて、開閉蓋８０には端部８５と縁部８６が設けられている点も、図５０と同じである。
【０２４０】
しかしながら、補強部材４７の端部に設けられている水平方向の長孔１００は、長孔内にくびれを右方に１個所有している。リベット８９が開閉蓋８０の端部８５に取り付けられていて、長孔内にくびれがなければ、リベット８９は長孔１００の中を左右に移動することができる。しかしながら、長孔内の右方にくびれが設けられているので、開閉蓋８０がこの長孔１００に沿って自発的に左方に移動しても、リベット８９が長孔内の右方のくびれにぶつかって止まるから、開閉蓋８０は梁材の凹部の上面の最右方に水平状態に蓋が保持されたままとなる。
【０２４１】
図５７は、図５６に示した本発明に係る床付き布枠について、開閉蓋８０を開ける作業の手順を示したものである。図５２(a)のＩ−Ｉ矢視断面図を示す。
【０２４２】
図５７(a)は、床付き布枠の掴み金具（図示せず）を建枠の横桟３に引っかけることによって、床付き布枠を枠組足場内に設置した状態である（通常時）。この開閉蓋８０は、長孔１００の中の右方のくびれによって梁材の凹部の上面の最右方に水平状態に蓋が保持されているので、開閉蓋８０は梁材の外向きの凹部４６の上の全体を水平に塞いでいる。
【０２４３】
次に、図５７(b)は、開閉蓋８０に人為的な力を左方向に一度加えることによって開閉蓋８０を、凸部のある長孔１００に沿って左方へ移動させ、開閉蓋８０を開けた状態を示している。したがって、階段部材の掴み金具を梁材の凹部に受容することが可能となる。ここでは、図５４とは異なり、長孔内の左方にはくびれが設けられていないので、開閉蓋８０にもう一度人為的な力を左方向に加える必要はない。人為的な力としては、ハンマーで開閉蓋８０の縁部８６を作業員が右方へハンマーで叩くことでもよいが、単に作業員が力を込めて開閉蓋８０を左方に移動させるだけでもよい。
【０２４４】
この場合は、一度人為的な力を左方向に加えて、凸部のある長孔１００に沿って左方へ移動させた後であれば、特に作業員による手作業を要することなく、上方から階段部材の掴み金具（図示せず）を下方に降ろして、建枠の横桟に引っかけるときの力を利用することもできる。すなわち、階段部材の掴み金具（図示せず）の下方への動きに追随して開閉蓋８０が左方に移動すると開閉蓋８０が開くから、階段部材の掴み金具を容易に床付き布枠の梁材の突出部の凹部４６に受容することができる。
【実施例１５】
【０２４５】
図５８は、本発明に係る床付き布枠の他の例を示したものである。(a)は床付き布枠の梁材の端面の中央部の部分平面図であり、(b)はその正面図、(c)は(a)のＧ−Ｇ矢視断面図、(d)は(a)のＨ−Ｈ矢視断面図を、それぞれ示す。
【０２４６】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２４７】
外向きの凹部４６の上には、凹部４６の上の全体を水平に塞ぐことができる開閉蓋８０が設置されているが、開閉蓋８０には端部８５が設けられており、補強部材４７の端部には水平方向に長孔８８が設けられている。そして、この補強部材４７の端部に設けられた長孔８８を介して、リベット８９が開閉蓋８０の端部８５に取り付けられていて、リベット８９はこの長孔８８の中を移動自在であるから、開閉蓋８０は長孔８８に沿って左右に移動できるようになっている。
【０２４８】
また、この開閉蓋８０には縁部８６が設けられており、この縁部８６と補強部材４７の間には押しバネ９４が２箇所設けられている。通常時には、この押しバネ９４の付勢力によって、梁材の凹部の上面の最右方に水平状態に蓋が保持されている。そして、この開閉蓋８０は、階段部材の掴み金具を凹部に受容する必要があるときに、人為的な力をかけることで、押しバネ９４の付勢力に逆らって開閉蓋８０を長孔８８に沿って左方に移動させることによって、開閉蓋８０を開ける構造となっている。このように、開閉蓋８０は左右の水平方向のみに移動できる構造となっており、通常時には押しバネ９４の付勢力によって、梁材の凹部の上面の最右方に水平状態に蓋が保持されているから、梁材の凹部の上に設置された開閉蓋８０は風にあおられても、開閉蓋８０が不意に持ち上がったり開いたりすることはないので、作業員が開閉蓋８０につまずいて転倒するおそれもない。
【０２４９】
開閉蓋８０を開けるための人為的な力としては、作業員による手動の力の外に、階段部材の掴み金具を凹部に受容させるときの掴み金具の下方への動きの力を利用することができる。
【０２５０】
図５９及び図６０は、図５８に示した本発明に係る床付き布枠について、人為的な力をかけて、開閉蓋８０を開ける作業の手順を示したものである。図５９が図５８(a)のＧ−Ｇ矢視断面図、そして、図６０が図５８(a)のＨ−Ｈ矢視断面図を、それぞれ示す。
【０２５１】
図５９(a)及び図６０(a)は、床付き布枠の掴み金具（図示せず）を建枠の横桟３に引っかけることによって、床付き布枠を枠組足場内に設置した状態である（通常時）。ここでは、この開閉蓋８０は、押しバネ９４の付勢力によって、梁材の凹部の上面の最右方に水平に蓋が保持されているので、開閉蓋８０は梁材の外向きの凹部４６の上の全体を水平に塞いでいる。
【０２５２】
この開閉蓋８０は人為的な力を加えなければ、最右方に水平に保持されているので、開閉蓋８０の上を作業員が通行しても移動することはない。なお、図示したように、開閉蓋８０は人為的な力を加えることによって長孔８８に沿って左方へ水平に移動させることができる。
【０２５３】
次に、図５９(b)及び図６０(b)は、人為的な力を加えることによって押しバネ９４の付勢力に反して、開閉蓋８０を長孔８８に沿って左方へ水平に移動させ、開閉蓋８０を開けた状態を示している。人為的な力として、作業員の手作業によった場合には、手作業によって開閉蓋８０を開いた後に、階段部材の掴み金具を梁材の凹部に受容することが可能となる。
【０２５４】
ただし、人為的な力として、上方から階段部材の掴み金具（図示せず）を下方に降ろして、建枠の横桟に引っかけるときの力を利用することもできる。すなわち、階段部材の掴み金具５０の下方への動きに追随して、閉じていた開閉蓋８０が押しバネ９４の付勢力に反して左方に移動し、開閉蓋８０が開くから、階段部材の掴み金具５０を容易に床付き布枠の梁材の突出部の凹部４６に受容することができる。このとき、作業員による手作業により開閉蓋８０を開ける作業は不要となる。
【実施例１６】
【０２５５】
図６１は、本発明に係る床付き布枠の他の例を示したものである。(a)は床付き布枠の梁材の端面の中央部の部分平面図であり、(b)は(a)のＪ−Ｊ矢視断面図を示す。
【０２５６】
ここでは、床付き布枠の梁材は、突出部４４を有する上側フランジ４１と、下側フランジ４２と、上部を外側に傾斜させてなるウェブ４３からなり、断面は倒立台形状となっている。梁材の中央部の上部フランジの突出部４４とウェブ４３には、外向きに凹部４６が設けられている。凹部４６の内周面には、凹部４６を形成したために低下した強度を補強するために、断面コの字形の補強部材４７が接合されている。
【０２５７】
外向きの凹部４６の上には、２枚の開閉蓋８０が設置されており、通常時には、２枚の開閉蓋８０を閉じることによって、凹部４６の上の全体を水平に塞いでいる。２枚の開閉蓋８０には、端部８５と縁部８６が設けられており、補強部材４７には水平方向に長孔（図示せず）が設けられている。そして、この補強部材４７に設けられた長孔を介して、ボルト９６とナット９７が開閉蓋８０の縁部８６に取り付けられていて、ボルト９６とナット９７はこの長孔の中を移動自在であるから、２枚の開閉蓋８０は長孔に沿って左右に開閉できる。
【０２５８】
このように、２枚の開閉蓋８０は個別に左右に開閉できる構造となっており、通常時には梁材の凹部４６の上の全体を水平に塞いでいるから、梁材の凹部の上に設置された開閉蓋８０は風にあおられても、開閉蓋８０が不意に持ち上がったり開いたりすることはないので、作業員が開閉蓋８０につまずいて転倒するおそれもない。
【０２５９】
図６２は、図６１に示した本発明に係る床付き布枠について、作業員が手作業によって、左方の開閉蓋８０を開けたところである。(a)は床付き布枠の梁材の端面の中央部の部分平面図であり、(b)は(a)のＪ−Ｊ矢視断面図を示す。
【０２６０】
その後、作業員が手作業によって、右方の開閉蓋８０を開いた後に、階段部材の掴み金具を梁材の凹部に受容することが可能となる。なお、左右のいずれかの開閉蓋８０だけを開いた状態で掴み金具を梁材の凹部に受容することができる場合には、殊更に左右両方の開閉蓋８０を開く必要はない。
【産業上の利用可能性】
【０２６１】
以上のとおり、本発明によれば、床付き布枠の両端の隙間を少なくするために、床付き布枠の端面を外方向に延長したり、又は、梁材の外側に梁材と平行に突出部材を接合したりした場合であっても、階段部材をどの場所にも組み込むことが可能な床付き布枠と、この床付き布枠を組み込んでなる枠組足場を提供することができる。
【図面の簡単な説明】
【０２６２】
【図１】Ｈ枠を用いて建枠式の枠組足場を形成する一例である。
【図２】鳥居枠を用いて建枠式の枠組足場を形成する一例である。
【図３】緊結式足場の構造の一例を示す。
【図４】従来技術に係る床付き布枠の一例である。
【図５】図４に示す従来技術に係る床付き布枠の端部の拡大図である。
【図６】従来技術に係る床付き布枠の２例を示す。
【図７】従来技術に係る床付き布枠を隣接する建枠の横桟の間に架け渡して作業床および通路として設置したときの３例を示す。
【図８】従来技術に係る枠組足場に階段部材を組み込んだときの２例を示す。
【図９】隣接する建枠の横桟に従来技術に係る床付き布枠を架け渡す際に床付き布枠の両端に生じる隙間を示す一例である。
【図１０】床付き布枠の端面を外方向に延長した一例を示す。
【図１１】床付き布枠の端面を外方向に延長した他の例を示す。
【図１２】図１０の床付き布枠を隣接する建枠の横桟の間に架け渡したところに階段部材を設置する他の２例である。
【図１３】図１０の床付き布枠を隣接する建枠の横桟の間に架け渡したところに階段部材を設置する他の２例である。
【図１４】梁材の中央部に外向きの凹部を設けてなる床付き布枠の一例の端部を示す。
【図１５】図１４に示される床付き布枠を、隣接する建枠の横桟の間に架け渡したときの床付き布枠の端部の状況を示す。
【図１６】図１４に示される床付き布枠（大アンチ）を小アンチと組み合わせて、隣接する建枠の横桟の間に架け渡したところに階段部材を設置する２例である。
【図１７】図１４に示される床付き布枠（大アンチ）の２枚を隣接する建枠の横桟の間に架け渡したところに階段部材を設置する２例である。
【図１８】床付き布枠の断面形状の一例（倒立ｈ形状）である。
【図１９】床付き布枠の断面形状の一例（倒立台形状）である。
【図２０】床付き布枠の断面形状の一例（倒立変形台形状）である。
【図２１】床付き布枠の断面形状の一例（コの字形状）である。
【図２２】梁材４０の外側に梁材と平行に、断面が倒立Ｌ形状の突出部材６０を線溶接Ｗ３により接合したものである。
【図２３】梁材４０の外側に梁材と平行に、断面が倒立Ｌ形状の突出部材６０を線溶接Ｗ３により接合したものである。
【図２４】梁材４０の外側に梁材と平行に、断面が三角形状の突出部材６０を線溶接Ｗ３により接合したものである。
【図２５】梁材４０の外側に梁材と平行に、突出部材６０を線溶接Ｗ３により接合し、突出部材６０にはその中央部に凹部６２が設けられたものである。
【図２６】梁材４０の外側に梁材と平行に、平板の突出部材６０を線溶接Ｗ３により接合するとともに、リブ６３により補強したものである。
【図２７】床付き布枠の凹部の上を塞ぐことができる開閉蓋を、回転軸を有する蝶番により開閉可能に設置した例である。
【図２８】本発明に係る床付き布枠の一例を示したものである。
【図２９】図２８に示した本発明に係る床付き布枠について、開閉蓋を開ける作業の手順を示したものである。
【図３０】図２９に示した床付き布枠の変形例である。
【図３１】本発明に係る床付き布枠の他の例を示したものである。
【図３２】図３１に示した本発明に係る床付き布枠について、開閉蓋を開ける作業の手順を示したものである。
【図３３】図３１に示した本発明に係る床付き布枠について、開閉蓋８０を開ける作業の手順を示したものである。
【図３４】本発明に係る床付き布枠の他の例を示したものである。
【図３５】図３４に示した本発明に係る床付き布枠について、開閉蓋を開ける作業の手順を示したものである。
【図３６】図３４に示した本発明に係る床付き布枠について、開閉蓋８０を開ける作業の手順を示したものである。
【図３７】本発明に係る床付き布枠の他の例を示したものである。
【図３８】図３７に示した本発明に係る床付き布枠について、開閉蓋を開ける作業の手順を示したものである。
【図３９】図３７に示した本発明に係る床付き布枠について、開閉蓋を開ける作業の手順を示したものである。
【図４０】本発明に係る床付き布枠の他の例を示したものである。
【図４１】図４０に示した本発明に係る床付き布枠について、開閉蓋を開ける作業の手順を示したものである。
【図４２】図４０に示した本発明に係る床付き布枠について、開閉蓋を開ける作業の手順を示したものである。
【図４３】本発明に係る床付き布枠の他の例を示したものである。
【図４４】図４３に示した本発明に係る床付き布枠について、開閉蓋を開ける作業の手順を示したものである。
【図４５】図４３に示した本発明に係る床付き布枠について、開閉蓋を開ける作業の手順を示したものである。
【図４６】本発明に係る床付き布枠の他の例を示したものである。
【図４７】図４６に示した本発明に係る床付き布枠について、開閉蓋を開けた後の状態を示したものである。
【図４８】本発明に係る床付き布枠の他の例を示したものである。
【図４９】本発明に係る床付き布枠の他の例を示したものである。
【図５０】本発明に係る床付き布枠の他の例を示したものである。
【図５１】図５０に示した本発明に係る床付き布枠について、開閉蓋を開ける作業の手順を示したものである。
【図５２】本発明に係る床付き布枠の他の例であって、図５０に示した床付き布枠の変形例である。
【図５３】図５２に示した本発明に係る床付き布枠について、開閉蓋を開ける作業の手順を示したものである。
【図５４】本発明に係る床付き布枠の他の例であって、図５０に示した床付き布枠の変形例である。
【図５５】図５４に示した本発明に係る床付き布枠について、開閉蓋を開ける作業の手順を示したものである。
【図５６】本発明に係る床付き布枠の他の例であって、図５０に示した床付き布枠の変形例である。
【図５７】図５６に示した本発明に係る床付き布枠について、開閉蓋を開ける作業の手順を示したものである。
【図５８】本発明に係る床付き布枠の他の例を示したものである。
【図５９】図５８に示した本発明に係る床付き布枠について、開閉蓋を開ける作業の手順を示したものである。
【図６０】図５８に示した本発明に係る床付き布枠について、開閉蓋を開ける作業の手順を示したものである。
【図６１】本発明に係る床付き布枠の他の例を示したものである。
【図６２】図６１に示した本発明に係る床付き布枠について、一方の開閉蓋を開けたところである。
【符号の説明】
【０２６３】
１  Ｈ枠
２  縦柱
３  横桟
４  鳥居枠
６ａ、６ｂ  ロック金具
７ａ、７ｂ  ロック金具
８ａ、８ｂ  ロック金具
１０  手摺枠
１１  床付き布枠
１３  筋違
１４  支柱
１５  作業用手摺
１６  支柱部材
１９  ブレース材
２０  コマ
２１  腕木材
２２  建物
２５  小アンチ
２６  大アンチ
３０  主材
３１  床材部
３２ａ、３２ｂ  布材部
３３  リップ
３４  布材部のリベット穴
３５  リベット
３６  床材部の溝
３７  リップの屈曲部
４０  梁材
４１  梁材の上側フランジ
４２  梁材の下側フランジ
４３  梁材のウェブ
４４  梁材の上側フランジの突出部
４５  梁材の突出部の切欠き部
４６  梁材の突出部の凹部
４７  補強部材
４８  梁材の上側フランジの延長部材
４９  補強部材の両端部に形成された凸部（突起）
５０  掴み金具
５１  掴み金具のリベット穴
５２  掴み金具の外れ止め
６０  突出部材
６１  突出部材の切欠き部
６２  突出部材の凹部
６３  リブ
７０  桟木
７１  エンボス加工
７２  隙間
７５  階段部材
８０  開閉蓋
８１  回転軸
８２  蝶番
８３  コイルバネ
８４  コイルバネ取付孔
８５  開閉蓋の端部
８６  開閉蓋の縁部
８７  引きバネ
８８  長孔
８９  リベット
９０  クサビ効果のある凸部
９１  クサビ効果のある突起
９２  下方への回転防止用ストッパー
９３  開閉蓋の切り込み
９４  押しバネ
９５  板バネ
９６  ボルト
９７  ナット
９８  ゴム材
９９  クサビ効果のある長孔
１００  凸部のある長孔
Ｗ１、Ｗ２、Ｗ３、Ｗ４  溶接
【図１】
0005386133.tif 000003
【図２】
0005386133.tif 000004
【図３】
0005386133.tif 000005
【図４】
0005386133.tif 000006
【図５】
0005386133.tif 000007
【図６】
0005386133.tif 000008
【図７】
0005386133.tif 000009
【図８】
0005386133.tif 000010
【図９】
0005386133.tif 000011
【図１０】
0005386133.tif 000012
【図１１】
0005386133.tif 000013
【図１２】
0005386133.tif 000014
【図１３】
0005386133.tif 000015
【図１４】
0005386133.tif 000016
【図１５】
0005386133.tif 000017
【図１６】
0005386133.tif 000018
【図１７】
0005386133.tif 000019
【図１８】
0005386133.tif 000020
【図１９】
0005386133.tif 000021
【図２０】
0005386133.tif 000022
【図２１】
0005386133.tif 000023
【図２２】
0005386133.tif 000024
【図２３】
0005386133.tif 000025
【図２４】
0005386133.tif 000026
【図２５】
0005386133.tif 000027
【図２６】
0005386133.tif 000028
【図２７】
0005386133.tif 000029
【図２８】
0005386133.tif 000030
【図２９】
0005386133.tif 000031
【図３０】
0005386133.tif 000032
【図３１】
0005386133.tif 000033
【図３２】
0005386133.tif 000034
【図３３】
0005386133.tif 000035
【図３４】
0005386133.tif 000036
【図３５】
0005386133.tif 000037
【図３６】
0005386133.tif 000038
【図３７】
0005386133.tif 000039
【図３８】
0005386133.tif 000040
【図３９】
0005386133.tif 000041
【図４０】
0005386133.tif 000042
【図４１】
0005386133.tif 000043
【図４２】
0005386133.tif 000044
【図４３】
0005386133.tif 000045
【図４４】
0005386133.tif 000046
【図４５】
0005386133.tif 000047
【図４６】
0005386133.tif 000048
【図４７】
0005386133.tif 000049
【図４８】
0005386133.tif 000050
【図４９】
0005386133.tif 000051
【図５０】
0005386133.tif 000052
【図５１】
0005386133.tif 000053
【図５２】
0005386133.tif 000054
【図５３】
0005386133.tif 000055
【図５４】
0005386133.tif 000056
【図５５】
0005386133.tif 000057
【図５６】
0005386133.tif 000058
【図５７】
0005386133.tif 000059
【図５８】
0005386133.tif 000060
【図５９】
0005386133.tif 000061
【図６０】
0005386133.tif 000062
【図６１】
0005386133.tif 000063
【図６２】
0005386133.tif 000064